(57)【要約】【課題】  セキュリティーを維持しつつ撮影プロトコルの配信を簡便に実現できるシステムを提供する。【解決手段】  プロトコル公開医療機関６の医療従事者が新たな撮影プロトコルを作成し、専用回線でその撮影プロトコルをプロトコル配信機関２に送信する。プロトコル配信機関２は、その撮影プロトコルの識別情報とプロトコル配信機関のアドレスとを含む公開パッケージを作成する。プロトコル公開機関８は、その公開パッケージを用いて作成されたＷｅｂページをインターネット上に公開する。プロトコル利用医療機関９の医療従事者はそのＷｅｂページを参照して、所望の撮影プロトコルを指定すると、配信予約がインターネット経由でプロトコル配信機関２に送信される。プロトコル配信機関２は、指定された撮影プロトコルを専用回線で医用画像診断装置１１に送信する。【選択図】      図１
2007082888.tif 000002
【特許請求の範囲】
【請求項１】
医用画像診断装置に利用され、少なくとも前記医用画像診断装置の撮影条件を含む撮影プロトコルを記憶するプロトコル情報記憶手段と、
公開されているプロトコル紹介ページに掲載されている撮影プロトコルのうち所望の撮影プロトコルの指定を受け付けるプロトコル配信要求受付手段と、
前記指定された撮影プロトコルを前記プロトコル情報記憶手段から取得し、専用回線を介して医用画像診断装置へ送信する準備をしておき、その医用画像診断装置から配信要求があったとき、前記送信を行うプロトコル配信手段と、
を有することを特徴とする医用装置プロトコル提供システム。
【請求項２】
前記プロトコル情報記憶手段は、前記撮影プロトコルを、前記撮影プロトコルを特定するための撮影プロトコル識別情報と対応付けて記憶し、
前記プロトコル紹介ページには前記撮影プロトコル識別情報が定義されて公開され、
前記プロトコル配信要求受付手段が前記所望の撮影プロトコルの指定を受け付けると、前記プロトコル配信手段は、前記指定された撮影プロトコルの撮影プロトコル識別情報と対応する撮影プロトコルを前記プロトコル情報記憶手段から取得し、専用回線を介して医用画像診断装置へ送信する準備をしておき、その医用画像診断装置から配信要求があったとき、前記送信を行うことを特徴とする請求項１に記載の医用装置プロトコル提供システム。
【請求項３】
撮影プロトコルを新たに作成したプロトコル作成機関からの要求を前記専用回線で受けて、前記プロトコル紹介ページに掲載するために撮影プロトコルを一意に識別するための撮影プロトコル識別情報を生成し、前記撮影プロトコル識別情報と前記プロトコル配信要求受付手段のアドレスとを含む公開パッケージを作成し、前記専用回線で前記プロトコル作成機関に送信する公開パッケージ作成手段を、更に備え、
前記撮影プロトコルを紹介するためのプロトコル紹介ページは、前記公開パッケージに含まれる撮影プロトコル識別情報と前記アドレスとを利用して作成されたことを特徴とする請求項１又は請求項２のいずれかに記載の医用装置プロトコル提供システム。
【請求項４】
撮影プロトコルを新たに生成したプロトコル作成機関に備えられ、前記プロトコル紹介ページに掲載されるために撮影プロトコルを一意に識別するための撮影プロトコル識別情報を生成し、前記撮影プロトコル識別情報と前記プロトコル配信要求受付手段のアドレスとを含む公開パッケージを作成する公開パッケージを、更に備え、
前記撮影プロトコルを紹介するためのプロトコル紹介ページは、前記公開パッケージに含まれる撮影プロトコル識別情報と前記アドレスとを利用して作成されたことを特徴とする請求項１又は請求項２のいずれかに記載の医用装置プロトコル提供システム。
【請求項５】
前記公開パッケージ作成手段は、前記撮影プロトコルに基づいてハッシュ値を算出して前記ハッシュ値を前記撮影プロトコル識別情報とし、
前記プロトコル配信手段は、前記ハッシュ値に基づいて前記ハッシュ値に対応する撮影プロトコルを前記プロトコル情報記憶手段から取得することを特徴とする請求項３又は請求項４のいずれかに記載の医用装置プロトコル提供システム。
【請求項６】
前記公開パッケージ作成手段は、前記撮影プロトコルを暗号化したものを用い、前記暗号化データを分割して割符データを生成し、一方の割符データを前記公開パッケージに含ませ、前記一方の割符データと対になる他方の割符データを前記撮影プロトコルに対応付けて前記プロトコル情報記憶手段に記憶させ、
前記プロトコル配信手段は、前記一方の割符データと前記他方の割符データとに基づいて撮影プロトコル識別情報を復号し、復号して得られた撮影プロトコル識別情報に対応する撮影プロトコルを前記プロトコル情報記憶手段から取得することを特徴とする請求項３から請求項５のいずれかに記載の医用装置プロトコル提供システム。
【請求項７】
前記公開パッケージ作成手段は、前記プロトコル紹介ページを作成する際の雛型となり、前記撮影プロトコル識別情報と前記プロトコル配信要求受付手段のアドレスとが記述されたＨＴＭＬテンプレートを前記公開パッケージに含ませることを特徴とする請求項３から請求項６のいずれかに記載の医用装置プロトコル提供システム。
【請求項８】
前記プロトコル配信要求受付手段及び前記プロトコル配信手段は、プロトコル配信機関に備えられていることを特徴とする請求項１から請求項７のいずれかに記載の医用装置プロトコル提供システム。
【請求項９】
前記プロトコル紹介ページを公開ネットワーク上に公開して紹介するプロトコル公開手段を更に有し、
前記プロトコル配信要求受付手段は、前記公開ネットワーク上に公開されているプロトコル紹介ページに掲載されている撮影プロトコルのうち、所望の撮影プロトコルの指定を受け付けることを特徴とする請求項１から請求項８のいずれかに記載の医用装置プロトコル提供システム。
【請求項１０】
プロトコル配信要求送信手段を更に有し、
前記プロトコル公開手段は、前記プロトコル配信要求受付手段の前記公開ネットワーク上におけるアドレスと前記撮影プロトコル識別情報とが定義されたプロトコル紹介ページを公開し、
前記プロトコル配信要求送信手段は、前記プロトコル紹介ページに掲載されている撮影プロトコルのうち所望の撮影プロトコルが指定された場合に、前記定義されたアドレスに従って前記プロトコル配信要求受付手段に前記指定された撮影プロトコルの撮影プロトコル識別情報を送信することを特徴とする請求項９に記載の医用装置プロトコル提供システム。
【請求項１１】
医用画像診断装置に利用され、少なくとも前記医用画像診断装置の撮影条件を含む撮影プロトコルを記憶するプロトコル情報記憶手段と、
撮影プロトコルを新たに作成したプロトコル作成機関からの要求を専用回線で受けて、前記新たに生成された撮影プロトコルを一意に識別するための撮影プロトコル識別情報を生成し、その撮影プロトコル識別情報と、前記新たに作成された撮影プロトコルを医用画像診断装置に送信するプロトコル配信機関のアドレスとを含む公開パッケージを作成し、前記専用回線で前記プロトコル作成機関に送信する前記公開パッケージ作成手段と、
前記公開パッケージに含まれる撮影プロトコル識別情報と前記アドレスとを利用して作成された、前記新たに作成された撮影プロトコルを紹介するためのプロトコル紹介ページを公開して紹介するプロトコル公開手段と、
を有することを特徴とする医用装置プロトコル提供システム。
【請求項１２】
公開されているプロトコル紹介ページに掲載されている、医用画像診断装置に利用され少なくとも前記医用画像診断装置の撮影条件を含む撮影プロトコルのうち、所望の撮影プロトコルの指定を受け付けるプロトコル配信要求受付ステップと、
前記指定された撮影プロトコルを、撮影プロトコルを保持するプロトコル配信機関から専用回線を介して医用画像診断装置へ送信する準備をしておき、その医用画像診断装置から配信要求があったとき、前記送信をするプロトコル配信ステップと、
を含む医用装置プロトコル提供方法。
【請求項１３】
前記撮影プロトコルを紹介するためのプロトコル紹介ページを公開ネットワーク上に公開して紹介する公開ステップを更に含み、
前記プロトコル配信要求受付ステップでは、前記公開ネットワーク上に公開されているプロトコル紹介ページに掲載されている撮影プロトコルのうち、所望の撮影プロトコルの指定を受け付けることを特徴とする請求項１２に記載の医用装置プロトコル提供方法。
【請求項１４】
プロトコル配信要求送信ステップを更に含み、
前記プロトコル配信機関は、前記撮影プロトコルを、前記撮影プロトコルを特定するための撮影プロトコル識別情報と対応付けて保持し、
前記公開ステップでは、前記プロトコル配信機関の前記公開ネットワーク上におけるアドレスと前記撮影プロトコル識別情報とが定義付けられたプロトコル紹介ページを公開し、
前記プロトコル配信要求送信ステップでは、前記プロトコル紹介ページに掲載されている撮影プロトコルのうち所望の撮影プロトコルが指定された場合に、前記定義されたアドレスに従って前記プロトコル配信機関に前記指定された撮影プロトコルの撮影プロトコル識別情報を送信し、
前記プロトコル配信要求受付ステップでは、前記撮影プロトコル識別情報を受け付け、
前記プロトコル配信ステップでは、その撮影プロトコル識別情報と対応する撮影プロトコルを、前記プロトコル配信機関から専用回線を介して医用画像診断装置へ送信する準備をしておき、その医用画像診断装置から配信要求があったとき、前記送信を行うことを特徴とする請求項１３に記載の医用装置プロトコル提供方法。
【請求項１５】
コンピュータに、
公開されているプロトコル紹介ページに掲載されている、医用画像診断装置に利用され少なくとも前記医用画像診断装置の撮影条件を含む撮影プロトコルのうち、所望の撮影プロトコルの指定を受け付けるプロトコル配信要求受付機能と、
前記指定された撮影プロトコルを、撮影プロトコルを保持するプロトコル配信機関から専用回線を介して医用画像診断装置へ送信する準備をしておき、その医用画像診断装置から配信要求があったとき、前記送信を行うプロトコル配信機能と、
を実行させることを特徴とする医用装置プロトコル提供プログラム。
【請求項１６】
前記プロトコル紹介ページを公開ネットワーク上に公開して紹介するプロトコル公開機能を更に実行させ、
前記プロトコル配信要求受付機能は、前記公開ネットワーク上に公開されているプロトコルのうち所望の撮影プロトコルの指定を受け付けることを特徴とする請求項１５に記載の医用装置プロトコル提供プログラム。
【請求項１７】
プロトコル配信要求送信機能を更に実行させ、
前記プロトコル配信機関は、前記撮影プロトコルを、前記撮影プロトコルを特定するための撮影プロトコル識別情報と対応付けて保持し、
前記プロトコル公開機能は、前記プロトコル配信機関の前記公開ネットワーク上におけるアドレスと撮影プロトコル識別情報とが定義付けられたプロトコル紹介ページを公開し、
前記プロトコル配信要求送信機能は、前記プロトコル紹介ページに掲載されている撮影プロトコルのうち所望の撮影プロトコルが指定された場合に、前記定義されたアドレスに従って前記プロトコル配信機関に前記指定された撮影プロトコルの撮影プロトコル識別情報を送信し、
前記プロトコル配信要求受付機能は、前記撮影プロトコル識別情報を受け付け、
前記プロトコル配信機能は、その撮影プロトコル識別情報と対応する撮影プロトコルを、前記プロトコル配信機関から専用回線を介して医用画像診断装置へ送信する準備をしておき、その医用画像診断装置から配信要求があったとき、前記送信を行うことを特徴とする請求項１６に記載の医用装置プロトコル提供プログラム。
【発明の詳細な説明】
【技術分野】
【０００１】
この発明は、医用画像診断装置で利用される撮影プロトコルを提供する医用装置プロトコル提供システム、医用装置プロトコル提供方法、及び医用装置プロトコル提供プログラムに関する。
【背景技術】
【０００２】
Ｘ線ＣＴ装置、ＭＲＩ装置、及び超音波診断装置などの医用画像診断装置は、撮影プロトコルに従って制御されている。撮影プロトコルは、医用画像診断装置による撮影（スキャン、画像データ収集）から信号処理（画像再構成）に至る検査の一連の作業進行のために必要とされる条件で構成されている。撮影プロトコルは、典型的には、撮影部位、撮影手順、撮影プロトコルの名称、撮影プロトコルの識別子、プロトコルのバージョン（版）、撮影パラメータの名称、撮影パラメータの値、撮影プロトコルの作成日時、撮影プロトコルの作成者、撮影プロトコルの目的（撮影目的（検査目的ともいう））、作成者のコメント、下位プロトコルの名称、及び下位プロトコルの識別子の各項目を有する。また、撮影パラメータには、例えばＸ線ＣＴ装置であれば、管電圧、管電流、スキャン時間、撮影スライス厚、撮影スライス枚数、スキャンピッチ、及び総スキャンの時間などが含まれる。
【０００３】
撮影プロトコルは、医用画像診断装置ごとに、検査目的や利用技師などに合わせて多数用意されている。また、予め用意されている撮影プロトコル以外にも、検査目的に沿った撮影プロトコルを新規に作成したり、ネットワーク上に接続された、撮影プロトコルを提供する医用機器ベンダのサーバから撮影プロトコルをダウンロードして医用画像診断装置に追加したりする場合もある。
【０００４】
従来、撮影プロトコルを提供する医用機器ベンダのサーバから撮影プロトコルを医用画像診断装置にダウンロードする方法として、以下の方法が提案されている。
【０００５】
まず、ネットワークとしてインターネットを利用して撮影プロトコルをダウンロードする方法がある。この方法では、医用画像診断装置を直接、インターネットに接続して、インターネット経由で医用機器ベンダのサーバから撮影プロトコルを医用画像診断装置にダウンロードする。
【０００６】
また、医用画像診断装置以外のコンピュータ（ＰＣ）をインターネットに接続して、インターネット経由で医用機器ベンダのサーバからそのＰＣに撮影プロトコルをダウンロードする方法がある。この場合、一度、医用画像診断装置以外のＰＣに撮影プロトコルをダウンロードし、ダウンロードした撮影プロトコルを記録媒体に保持させて医用画像診断装置にインストールする必要がある。
【０００７】
さらに、医用画像診断装置が設置されている施設（例えば病院）内にローカルサーバを設置し、そのローカルサーバをインターネットに接続してローカルサーバを通じて撮影プロトコルをダウンロードして医用画像診断装置にインストールする方法がある（例えば特許文献１）。
【０００８】
【特許文献１】特開２００４−１５４５６０号公報
【発明の開示】
【発明が解決しようとする課題】
【０００９】
しかしながら、医用画像診断装置を直接、インターネットに接続して撮影プロトコルをダウンロードする方法は、情報漏洩やコンピュータウィルスの感染などの危険があり、セキュリティー上、問題がある。医用画像診断装置には、患者情報、検査情報、及び病院情報などが格納されているため、医用画像診断装置を直接、インターネットに接続すると、それらの情報が意図せずに外部に漏洩する危険がある。また、コンピュータウィルスに感染する危険があり、その感染によって検査中の医用画像診断装置の事故に繋がるおそれもある。
【００１０】
また、医用画像診断装置以外のＰＣをインターネットに接続して、一度そのＰＣに撮影プロトコルをダウンロードする方法によれば、医用画像診断装置を直接、インターネットに接続する方法と比べて、医用画像診断装置に格納されている情報の漏洩や、医用画像診断装置のコンピュータウィルス感染などの危険性は低くなる。しかしながら、ＰＣにダウンロードした撮影プロトコルを、記録媒体を利用して医用画像診断装置にインストールする必要があるため、操作者の手間を要していた。上述したように、撮影プロトコルは検査目的や利用技師などに合わせて多数用意されているため、複数の撮影プロトコルを更新する場合、撮影プロトコルのダウンロード、記録媒体への撮影プロトコルの移動、及び記録媒体から医用画像診断装置への撮影プロトコルのインストールを何回も繰り返す必要があるため、非常に煩雑な作業となってしまう。
【００１１】
さらに、ローカルサーバをインターネットに接続する方法は、医用画像診断装置を直接、インターネットに接続する方法と比べて安全な仕組みとなっているが、ローカルサーバを設置してネットワークの設定などを行う必要があるため、実際の運用面で手間がかかってしまう問題がある。
【００１２】
また、セキュリティー対策として、セキュア回線（例えば、専用回線やＶＰＮ（Ｖｉｒｔｕａｌ  Ｐｒｉｖａｔｅ  Ｎｅｔｗｏｒｋ）など）を介して医用画像診断装置と医用機器ベンダのサーバとを接続し、撮影プロトコルの利用者が医用機器ベンダのサーバから所望の撮影プロトコルをダウンロードする方法がある。この場合、医用機器ベンダが上記セキュア回線上に公開している専用ページを参照することで、所望の撮影プロトコルを選択してダウンロードを行う。
【００１３】
一方、撮影プロトコルを変更して新たな撮影プロトコルを作成した場合、その新たに作成した撮影プロトコルに含まれる画像撮影方法などを学会などで発表したり、インターネットなどの公開ネットワーク上の学会などのＷｅｂページに公開したりする場合がある。インターネットなどの公開ネットワーク上のＷｅｂページにその画像撮影方法などを公開する場合、典型的には、画像撮影方法とともにその画像撮影方法によって撮影された代表的な画像が公開される。
【００１４】
ところが、プロトコル利用希望者がインターネットなどの公開ネットワーク上に公開されたＷｅｂページの代表画像を参照して、その画像を得るための撮影プロトコルを利用したいと考えても、学会などのＷｅｂページには撮影条件の一部の情報のみが公開されている場合が多く、公開されている情報から所望の画像撮影方法を再現することは困難であった。
【００１５】
以上のように、従来においては、ネットワークを介して撮影プロトコルをダウンロードする場合、医療機器ベンダがセキュア回線上に公開している専用ページを参照し、その専用ページで配信を希望する撮影プロトコルを指定してダウンロードを要求する他なく、プロトコル利用希望者が必要としている撮影プロトコルの一部の情報がインターネットなどの公開ネットワーク上に公開されていても、その情報を利用して必要な撮影プロトコルを得ることができなかった。
【００１６】
この発明は上記の問題点を解決するものであり、セキュリティーを維持しつつ、撮影プロトコルの利用者が必要としている撮影プロトコルのダウンロードをより簡便に実現することが可能な医用装置プロトコル提供システム、医用装置プロトコル提供方法、及び医用提供プロトコル管理プログラムを提供することを目的とする。
【課題を解決するための手段】
【００１７】
請求項１に記載の発明は、医用画像診断装置に利用され、少なくとも前記医用画像診断装置の撮影条件を含む撮影プロトコルを記憶するプロトコル情報記憶手段と、公開されているプロトコル紹介ページに掲載されている撮影プロトコルのうち所望の撮影プロトコルの指定を受け付けるプロトコル配信要求受付手段と、前記指定された撮影プロトコルを前記プロトコル情報記憶手段から取得し、専用回線を介して医用画像診断装置へ送信する準備をしておき、その医用画像診断装置から配信要求があったとき、前記送信を行うプロトコル配信手段と、を有することを特徴とする医用装置プロトコル提供システムである。
【００１８】
請求項２に記載の発明は、請求項１に記載の医用装置プロトコル提供システムであって、前記プロトコル情報記憶手段は、前記撮影プロトコルを、前記撮影プロトコルを特定するための撮影プロトコル識別情報と対応付けて記憶し、前記プロトコル紹介ページには前記撮影プロトコル識別情報が定義されて公開され、前記プロトコル配信要求受付手段が前記所望の撮影プロトコルの指定を受け付けると、前記プロトコル配信手段は、前記指定された撮影プロトコルの撮影プロトコル識別情報と対応する撮影プロトコルを前記プロトコル情報記憶手段から取得し、専用回線を介して医用画像診断装置へ送信する準備をしておき、その医用画像診断装置から配信要求があったとき、前記送信を行うことを特徴とするものである。
【００１９】
請求項３に記載の発明は、請求項１又は請求項２のいずれかに記載の医用装置プロトコル提供システムであって、撮影プロトコルを新たに作成したプロトコル作成機関からの要求を前記専用回線で受けて、前記プロトコル紹介ページに掲載するために撮影プロトコルを一意に識別するための撮影プロトコル識別情報を生成し、前記撮影プロトコル識別情報と前記プロトコル配信要求受付手段のアドレスとを含む公開パッケージを作成し、前記専用回線で前記プロトコル作成機関に送信する公開パッケージ作成手段を、更に備え、前記撮影プロトコルを紹介するためのプロトコル紹介ページは、前記公開パッケージに含まれる撮影プロトコル識別情報と前記アドレスとを利用して作成されたことを特徴とするものである。
【００２０】
請求項４に記載の発明は、請求項１又は請求項２のいずれかに記載の医用装置プロトコル提供システムであって、撮影プロトコルを新たに生成したプロトコル作成機関に備えられ、前記プロトコル紹介ページに掲載されるために撮影プロトコルを一意に識別するための撮影プロトコル識別情報を生成し、前記撮影プロトコル識別情報と前記プロトコル配信要求受付手段のアドレスとを含む公開パッケージを作成する公開パッケージを、更に備え、前記撮影プロトコルを紹介するためのプロトコル紹介ページは、前記公開パッケージに含まれる撮影プロトコル識別情報と前記アドレスとを利用して作成されたことを特徴とするものである。
【００２１】
請求項５に記載の発明は、請求項３又は請求項４のいずれかに記載の医用装置プロトコル提供システムであって、前記公開パッケージ作成手段は、前記撮影プロトコルに基づいてハッシュ値を算出して前記ハッシュ値を前記撮影プロトコル識別情報とし、前記プロトコル配信手段は、前記ハッシュ値に基づいて前記ハッシュ値に対応する撮影プロトコルを前記プロトコル情報記憶手段から取得することを特徴とするものである。
【００２２】
請求項６に記載の発明は、請求項３から請求項５のいずれかに記載の医用装置プロトコル提供システムであって、前記公開パッケージ作成手段は、前記撮影プロトコルを暗号化したものを用い、前記暗号化データを分割して割符データを生成し、一方の割符データを前記公開パッケージに含ませ、前記一方の割符データと対になる他方の割符データを前記撮影プロトコルに対応付けて前記プロトコル情報記憶手段に記憶させ、前記プロトコル配信手段は、前記一方の割符データと前記他方の割符データとに基づいて撮影プロトコル識別情報を復号し、復号して得られた撮影プロトコル識別情報に対応する撮影プロトコルを前記プロトコル情報記憶手段から取得することを特徴とするものである。
【００２３】
請求項７に記載の発明は、請求項３から請求項６のいずれかに記載の医用装置プロトコル提供システムであって、前記公開パッケージ作成手段は、前記プロトコル紹介ページを作成する際の雛型となり、前記撮影プロトコル識別情報と前記プロトコル配信要求受付手段のアドレスとが記述されたＨＴＭＬテンプレートを前記公開パッケージに含ませることを特徴とするものである。
【００２４】
請求項８に記載の発明は、請求項１から請求項７のいずれかに記載の医用装置プロトコル提供システムであって、前記プロトコル配信要求受付手段及び前記プロトコル配信手段は、プロトコル配信機関に備えられていることを特徴とするものである。
【００２５】
請求項９に記載の発明は、請求項１から請求項８のいずれかに記載の医用装置プロトコル提供システムであって、前記プロトコル紹介ページを公開ネットワーク上に公開して紹介するプロトコル公開手段を更に有し、前記プロトコル配信要求受付手段は、前記公開ネットワーク上に公開されているプロトコル紹介ページに掲載されている撮影プロトコルのうち、所望の撮影プロトコルの指定を受け付けることを特徴とするものである。
【００２６】
請求項１０に記載の発明は、請求項９に記載の医用装置プロトコル提供システムであって、プロトコル配信要求送信手段を更に有し、前記プロトコル公開手段は、前記プロトコル配信要求受付手段の前記公開ネットワーク上におけるアドレスと前記撮影プロトコル識別情報とが定義されたプロトコル紹介ページを公開し、前記プロトコル配信要求送信手段は、前記プロトコル紹介ページに掲載されている撮影プロトコルのうち所望の撮影プロトコルが指定された場合に、前記定義されたアドレスに従って前記プロトコル配信要求受付手段に前記指定された撮影プロトコルの撮影プロトコル識別情報を送信することを特徴とするものである。
【００２７】
請求項１１に記載の発明は、医用画像診断装置に利用され、少なくとも前記医用画像診断装置の撮影条件を含む撮影プロトコルを記憶するプロトコル情報記憶手段と、撮影プロトコルを新たに作成したプロトコル作成機関からの要求を専用回線で受けて、前記新たに生成された撮影プロトコルを一意に識別するための撮影プロトコル識別情報を生成し、その撮影プロトコル識別情報と、前記新たに作成された撮影プロトコルを医用画像診断装置に送信するプロトコル配信機関のアドレスとを含む公開パッケージを作成し、前記専用回線で前記プロトコル作成機関に送信する前記公開パッケージ作成手段と、前記公開パッケージに含まれる撮影プロトコル識別情報と前記アドレスとを利用して作成された、前記新たに作成された撮影プロトコルを紹介するためのプロトコル紹介ページを公開して紹介するプロトコル公開手段と、を有することを特徴とする医用装置プロトコル提供システムである。
【発明の効果】
【００２８】
この発明によると、撮影プロトコルの公開を希望する者は、その撮影プロトコルの公開に必要な情報を簡単に取得して、撮影プロトコルを公開することが可能となる。
【００２９】
また、公開されている撮影プロトコルの利用を希望する者は、プロトコル公開機関（医療機器ベンダ）が提供する専用ページだけでなく、一般に公開されているプロトコル紹介ページを参照して配信を希望する撮影プロトコルを指定し、その撮影プロトコルの配信要求をプロトコル配信機関（医療機器ベンダ）に対して行うことができ、セキュリティーを維持しつつ撮影プロトコルを取得することが可能となる。これにより、セキュリティーを維持しつつ簡便な方法で所望の撮影プロトコルを自分が利用している医用画像診断装置にインストールすることが可能となる。
【発明を実施するための最良の形態】
【００３０】
この発明の実施形態に係る医用装置プロトコル提供システム、医用装置プロトコル提供方法、及び医用装置プロトコル提供プログラムについて図面を参照して説明する。
【００３１】
［第１の実施の形態］
この発明の第１の実施形態に係る医用装置プロトコル提供システムの構成について、図１を参照して説明する。図１は、この発明の第１の実施形態に係る医用装置プロトコル提供システムの構成を示すブロック図である。
【００３２】
医用装置プロトコル提供システム１は、プロトコル配信機関（医用機器ベンダ）２、プロトコル公開医療機関６、プロトコル公開機関８、及びプロトコル利用医療機関９を備えて構成されている。
【００３３】
医用画像を撮影するための基本的な撮影プロトコルは、プロトコル配信機関（医用機器ベンダ）２によってプロトコル公開医療機関６内の医用画像診断装置７やプロトコル利用医療機関９内の医用画像診断装置１１などに予め提供されている。そして、医用画像診断装置の利用者（医療従事者）は、撮影プロトコルに含まれる各種パラメータの設定などに独自の工夫を加えて新たな撮影プロトコルを作成している。新たに作成された撮影プロトコルは、医用画像コンテストなどで発表されたり、医用画像に関する学会のホームページなどで公開されたりする場合がある。なお、撮影プロトコルは、撮影プロトコルの名称、撮影部位、及び撮影条件を少なくとも含むことが好ましい。
【００３４】
この実施形態において、プロトコル公開医療機関６が新たな撮影プロトコルを作成するプロトコル作成機関に該当し、プロトコル公開機関８が上記の医用画像コンテストの主催者や学会などに該当する。なお、プロトコル公開医療機関６とプロトコル公開機関８は、同じ機関であっても良い。
【００３５】
プロトコル公開医療機関６は、ＭＲＩ装置、Ｘ線ＣＴ装置、又は超音波診断装置などの医用画像診断装置７を有している。この実施形態では、プロトコル公開医療機関６の医療従事者が、医用機器ベンダ２から予め提供された撮影プロトコルを変更して新たな撮影プロトコルを作成し、新たに作成した撮影プロトコルの公開を希望するものとする。従って、プロトコル公開医療機関６の医療従事者がプロトコル公開希望者に該当する。
【００３６】
プロトコル公開医療機関６は、新たに作成した撮影プロトコルを医用機器ベンダ２に送信することで、新たに作成した撮影プロトコルを医用機器ベンダ２に登録し、医用機器ベンダ２から撮影プロトコルを公開するための公開パッケージを取得する。この公開パッケージの詳細な説明は後述するが、公開パッケージには新たに作成された撮影プロトコルの識別情報や医用機器ベンダ２のアドレス（ＵＲＬ）などが含まれる。プロトコル公開希望者は、取得した公開パッケージを利用して撮影プロトコル公開用のＷｅｂページを作成する。
【００３７】
プロトコル公開機関８はプロトコル情報公開サーバ８１を備え、プロトコル公開医療機関６が作成した撮影プロトコル公開用のＷｅｂページをインターネットなどの公開ネットワーク上に公開する。
【００３８】
プロトコル利用医療機関９は、新たに作成された撮影プロトコルを取得して利用を希望する機関であり、プロトコル情報参照端末１０と医用画像診断装置１１とを備えている。従って、医用画像診断装置１１の医療従事者がプロトコル利用希望者に該当する。
【００３９】
プロトコル情報参照端末１０は、プロトコル公開機関８がインターネット上に公開している撮影プロトコル公開用のＷｅｂページを参照し、新たに作成された撮影プロトコルの配信予約を医用機器ベンダ２に対して行うための端末である。例えばＷｅｂブラウザによって撮影プロトコル公開用のＷｅｂページを参照し、所望の撮影プロトコルのダウンロードを指示することで、撮影プロトコルの識別情報がプロトコル配信機関（医用機器ベンダ）２のプロトコル配信要求受付サーバ４に送信される。これにより、プロトコル利用医療機関９の撮影プロトコル利用希望者は、所望の撮影プロトコルの配信を予約することができる。
【００４０】
プロトコル配信機関（医用機器ベンダ）２は、プロトコル公開パッケージ作成サーバ３、プロトコル配信要求受付サーバ４、及びプロトコル配信サーバ５を備え、プロトコル公開医療機器６から新たに作成された撮影プロトコルを登録する機関であるとともに、医用画像診断装置に用いられる撮影プロトコルを提供する機関である。
【００４１】
プロトコル公開パッケージ作成サーバ３は、プロトコル公開医療機関６から送信される新たに作成された撮影プロトコルと公開パッケージ作成要求とを受けて、新たに作成された撮影プロトコルをプロトコル配信機関２内のプロトコル情報記憶手段に記憶させるとともに、撮影プロトコルを公開するための公開パッケージを作成し、プロトコル公開医療機関６にその公開パッケージを提供する。
【００４２】
プロトコル配信要求受付サーバ４は、配信を希望する撮影プロトコルの識別情報と、医用画像診断装置１１の識別情報とを受けて、プロトコル利用医療機関９内の医用画像診断装置１１に撮影プロトコルを配信するための配信計画を作成してプロトコル配信機関２内の配信計画情報記憶手段に記憶させる。この配信計画には、撮影プロトコルを配信する配信先の医用画像診断装置の識別情報や、配信のタイミングなどが含まれる。
【００４３】
プロトコル配信サーバ５は、上記配信計画に従って、プロトコル配信機関２に登録されている新たに作成された撮影プロトコルをプロトコル利用医療機関９の医用画像診断装置１１に配信する。
【００４４】
また、プロトコル利用医療機関９内のプロトコル情報参照端末１０、プロトコル公開機関８内のプロトコル情報公開サーバ８１、及びプロトコル配信機関２内のプロトコル配信要求受付サーバ４は、インターネットなどの公開ネットワークに接続されている。一方、プロトコル利用医療機関９内の医用画像診断装置１１、プロトコル公開医療機関６内の医用画像診断装置７、プロトコル配信機関２内のプロトコル公開パッケージ作成サーバ３、及びプロトコル配信サーバ５は、例えば専用回線やＶＰＮなどのセキュア回線に接続されている。
【００４５】
従って、プロトコル公開医療機関６のプロトコル公開希望者は、新たに作成した撮影プロトコルと公開パッケージ作成要求とを、専用回線などのセキュア回線を介してプロトコル配信機関２に送信することになる。そして、プロトコル配信機関２は、セキュア回線を介して公開パッケージをプロトコル公開医療機関６に送信することになる。
【００４６】
また、プロトコル利用医療機関９のプロトコル利用希望者は、プロトコル公開機関８がインターネットなどの公開ネットワーク上に公開している撮影プロトコル紹介用Ｗｅｂページを参照することで、配信を希望する撮影プロトコルを指定し、公開ネットワーク経由で配信要求をプロトコル配信機関２に送信することができる。そして、プロトコル配信機関２は、公開ネットワーク経由で撮影プロトコルの配信要求を受けると、セキュア回線を介して撮影プロトコルをプロトコル利用医療機関９に配信することになる。
【００４７】
なお、図１においては、プロトコル利用医療機関９には単一の医用画像診断装置１１が設置されているが、複数の医用画像診断装置１１が設置されていても良い。また、各医用画像診断装置１１及びプロトコル情報参照用端末１０は互いにＬＡＮで接続されていても良い。また、この実施形態においては、プロトコル配信機関２内のプロトコル配信要求受付サーバ４、プロトコル公開パッケージ作成サーバ５、及びプロトコル配信サーバ６は、互いにＬＡＮなどのネットワークに接続されている。
【００４８】
ここで、医用装置プロトコル提供システム１の処理の流れについて図２を参照して説明する。図２は、この発明の第１の実施形態に係る医用装置プロトコル提供システムの処理の流れを示すシーケンス図である。
【００４９】
プロトコル公開医療機関６の医療従事者（プロトコル公開希望者）が新たな撮影プロトコルを作成し、その撮影プロトコルの公開を希望する場合、新たに作成した撮影プロトコルと撮影プロトコルの公開に用いられる公開パッケージの作成要求とを、専用回線などのセキュア回線を介して医用画像診断装置７からプロトコル配信機関（医療機器ベンダ）２に送信する（ステップＳ０１）。
【００５０】
プロトコル配信機関（医療機器ベンダ）２内のプロトコル公開パッケージ作成サーバ３は、プロトコル公開医療機関６から送信された、撮影プロトコルと公開パッケージ作成要求とを受信し、撮影プロトコルを公開するための公開パッケージ（撮影プロトコルの識別情報とプロトコル配信機関２のアドレス（ＵＲＬ）を含む）を作成する（ステップＳ０２）。そして、プロトコル公開パッケージ作成サーバ３は、セキュア回線を介してその公開パッケージをプロトコル公開医療機関６に送信する（ステップＳ０３）。
【００５１】
プロトコル公開医療機関６のプロトコル公開希望者は、公開パッケージを利用して撮影プロトコルを公開するためのＷｅｂページを作成し、プロトコル公開機関８にそのＷｅｂページを登録する（ステップＳ０４）。プロトコル公開機関８は、撮影プロトコル公開用のＷｅｂページをインターネット上に公開する（ステップＳ０５）。
【００５２】
プロトコル利用医療機関９の医療従事者（プロトコル利用希望者）は、プロトコル情報参照用端末１０によってそのＷｅｂページを参照し、配信を希望する撮影プロトコルを指定する（ステップＳ０６）。その指定によって撮影プロトコルの識別情報と配信要求とが、インターネットを経由してプロトコル配信機関２のプロトコル配信要求受付サーバ４に送信され、これにより撮影プロトコルの配信予約が行われる（ステップＳ０７）。
【００５３】
配信予約を受け付けたプロトコル配信機関２は、撮影プロトコルの識別情報に基づいて、プロトコル配信機関２に登録されている撮影プロトコルを検索し（ステップＳ０８）、撮影プロトコルを配信するための配信計画を作成する。
【００５４】
プロトコル利用医療機関９の医療従事者（プロトコル利用希望者）は医用画像診断装置１１を起動させ、撮影プロトコルのダウンロードの指示を与えることで、プロトコル配信機関２から専用回線などのセキュア回線を介して所望の撮影プロトコルが医用画像診断装置１１に送信される（ステップＳ０９）。これにより、プロトコル利用医療機関９は所望の撮影プロトコルを入手することが可能となる。
【００５５】
以上のように、プロトコル配信機関２のプロトコル公開パッケージ作成サーバ３が、撮影プロトコルの公開に利用される公開パッケージを作成するため、プロトコル公開医療機関６のプロトコル公開希望者は、新たに作成した撮影プロトコルを公開するために必要な情報を簡単に取得することが可能となる。
【００５６】
また、公開パッケージを利用して作成された医療プロトコル紹介用のＷｅｂページが、インターネットなどの公開ネットワーク上に公開されているため、プロトコル利用医療機関９のプロトコル利用希望者は、プロトコル配信機関（医療機器ベンダ）２が公開する専用ページ以外の一般的なＷｅｂページを参照して、所望の撮影プロトコルの配信要求をプロトコル配信機関２に送信することが可能となる。これにより、より簡便に撮影プロトコルの配信要求を行うことが可能となる。
【００５７】
（医用装置プロトコル提供システム１の機能）
次に、医用装置プロトコル提供システム１を構成する各機関の機能について、図３を参照して説明する。図３は、この発明の第１の実施形態に係る医用装置プロトコル提供システムの機能を示す機能ブロック図である。
【００５８】
まず、プロトコル配信機関（医療機器ベンダ）２に設置されている記憶手段について説明する。プロトコル配信機関２の記憶装置には、プロトコル情報記憶手段２１、ユーザ情報記憶手段２２、配信計画情報記憶手段２３、及び装置ステータス記憶手段２４が設置されている。
【００５９】
プロトコル情報記憶手段２１には、公開パッケージ、及び識別情報が付された撮影プロトコルが記憶される。
【００６０】
ユーザ情報記憶手段２２には、プロトコル公開医療機関６の医療従事者（プロトコル公開希望者）、プロトコル利用医療機関９の医療従事者（プロトコル利用希望者）が登録されている。例えば、プロトコル公開医療機関６の医療従事者やプロトコル利用医療機関９の医療従事者のユーザＩＤやパスワードなどのユーザ識別情報が、ユーザ情報記憶手段２２に記憶されている。
【００６１】
さらに、ユーザ情報記憶手段２２には、プロトコル配信機関２に登録されているユーザ（契約者など）が所有している医用画像診断装置の識別情報が、ユーザ識別情報と対応付けられて予め記憶されている。この実施形態では、プロトコル利用医療機関９内の医用画像診断装置１１の識別情報（製造番号など）がユーザ識別情報と対応付けられて予めユーザ情報記憶手段２２に記憶されている。
【００６２】
配信計画情報記憶手段２３には、プロトコル利用医療機関９への撮影プロトコルの配信計画が記憶される。また、装置ステータス記憶手段２４には、配信先の医用画像診断装置１１の装置ステータス情報が記憶される。
【００６３】
以下、公開パッケージの作成に関連する機能、撮影プロトコル配信要求の受付に関連する機能、及び撮影プロトコル配信に関連する機能の順番で説明する。
【００６４】
（公開パッケージの作成に関連する機能）
まず、新たな撮影プロトコルを公開するための公開パッケージの作成に関連する機能について説明する。プロトコル公開医療機関６内の医用画像診断装置７に含まれる機能、及び医療機器ベンダ２内のプロトコル公開パッケージ作成サーバ３に含まる機能が、公開パッケージの作成に関連する機能に該当する。
【００６５】
プロトコル公開医療機関６のプロトコル公開希望者は、新たに作成した撮影プロトコルを公開するためにプロトコル配信機関（医療機器ベンダ）２にアクセスすると、医用画像診断装置７に設置されている表示装置（図示しない）、又は医用画像診断装置７に接続されているコンピュータの表示装置（図示しない）に、公開パッケージ作成用の指定画面が表示される。医用画像診断装置７内の公開パッケージ作成要求受付手段７１は、その公開パッケージ作成用の指定画面からの入力を受け付ける。このとき、マウスやキーボードなどの既知の入力装置（図示しない）を用いることで、その入力が行われる。
【００６６】
公開パッケージ作成用の指定画面については後述するが、ユーザ認証画面、公開パッケージの作成対象である撮影プロトコルの選択画面、及び確認画面が表示装置上に表示される。ユーザ認証画面が表示装置上に表示されている場合に、キーボードなどの入力装置を用いてユーザの識別情報が入力されると、公開パッケージ作成要求受付手段７１はそのユーザ識別情報の入力を受け付ける。また、公開パッケージ作成対象となる撮影プロトコルの選択画面が表示されている場合に、マウスなどの入力装置を用いて所望の撮影プロトコルが選択されると、公開パッケージ作成要求受付手段７１はその選択の入力を受け付ける。
【００６７】
撮影プロトコル記憶手段７２には、医用画像診断装置７に使用される撮影プロトコルが記憶されている。この撮影プロトコルには、プロトコル名称、プロトコル作成者名、作成者のコメント、代表画像などが付されている。プロトコル公開医療機関６の医療従事者により新たに作成された撮影プロトコルは、この撮影プロトコル記憶手段７２に記憶される。
【００６８】
撮影プロトコル取得手段７３は、プロトコル公開希望者が公開を希望する撮影プロトコル（公開パッケージ作成対象の撮影プロトコル）を撮影プロトコル記憶手段７１から取得し、公開パッケージ作成要求送信手段７４に送る。公開パッケージの作成対象となる撮影プロトコルは、プロトコル公開希望者が表示装置上に表示される公開パッケージ作成対象の選択画面を参照し、マウスなどの入力装置を用いることで指定される。その指定が公開パッケージ作成要求受付手段７１により受け付けられ、撮影プロトコル取得手段７３は指定された撮影プロトコルを撮影プロトコル記憶手段７１から取得して公開パッケージ作成要求送信手段７４に送る。
【００６９】
公開パッケージ作成要求送信手段７４は、公開パッケージの作成要求と公開パッケージの作成対象となる撮影プロトコルとを、プロトコル配信機関２に送信する。また、公開パッケージ作成要求送信手段７４は、撮影プロトコルとともにその撮影プロトコルが利用される医用画像診断装置７の識別情報（製造情報など）を医療機器ベンダ２に送信しても良い。医用画像診断装置７と医療機器ベンダ２との送信プロトコルや、送信先情報や、送信先接続情報（接続ＩＤ、接続認証）などは、予め医用画像診断装置７内に記憶させておけば良い。また、このときの送信方法として、Ｗｅｂサービス、ＦＴＰ、又はＨＴＴＰなどを用いることができる。
【００７０】
プロトコル公開パッケージ作成サーバ３内の公開パッケージ作成要求受付手段３１は、医用画像診断装置７から送信された公開パッケージ作成要求と撮影プロトコルとを受信する。また、公開パッケージ作成要求受付手段３１は、プロトコル公開医療機関６に設けられた医用画像診断装置７からのログイン情報を受信してユーザの認証を行うユーザ認証機能が備えられている。公開パッケージ作成要求受付手段３１によるユーザ認証の際には、ユーザ識別情報を記録したＩＣカードや、ユーザ識別情報としてのユーザＩＤ及びパスワードを利用することができる。その他、指紋による認証、虹彩による認証などを利用することもできる.
【００７１】
公開パッケージ作成手段３２は、公開パッケージ作成の要求があった撮影プロトコルについて公開パッケージを作成し、作成した公開パッケージを公開パッケージ送信手段３３に送るとともに、プロトコル情報記憶手段２１に記憶させる。
【００７２】
ここで、公開パッケージ作成手段３２による公開パッケージの作成方法、及び公開パッケージの内容について説明する。公開パッケージ作成手段３２は、撮影プロトコル配信の要求先の情報（この実施形態ではプロトコル配信機関２のアドレス（ＵＲＬ）など）の他、公開パッケージの作成対象となる撮影プロトコルの識別情報、ＨＴＭＬテンプレート、又は撮影プロトコルの識別情報から求められた割符データのうち、少なくとも１つを含ませたものを公開パッケージとする。
【００７３】
撮影プロトコルの識別情報とは、撮影プロトコルを基にして予め定められた方法で作成された一意となる識別情報である。例えば、公開パッケージ作成手段３２は、プロトコル公開医療機関６から送信された撮影プロトコルからハッシュ値を算出し、そのハッシュ値を撮影プロトコルの識別情報とする。
【００７４】
また、医用画像診断装置７から、公開パッケージの作成対象となる撮影プロトコルとともに、その撮影プロトコルを利用する医用画像診断装置７の識別情報（製造番号など）がプロトコル公開パッケージ作成サーバ３に送信された場合、公開パッケージ作成手段３２は、撮影プロトコルからハッシュ値を算出し、そのハッシュ値と医用画像診断装置７の識別情報（製造番号など）とを含む情報を撮影プロトコルの識別情報とすることもできる。
【００７５】
また、公開パッケージ作成要求受付手段３１は、プロトコル公開医療機関６から公開パッケージ作成要求を受け付けた際に、公開パッケージ作成要求の受付番号を発番することができる。公開パッケージ作成手段３２は、公開パッケージ作成要求受付手段３１が発番した受付番号を、撮影プロトコルの識別情報とすることもできる。
【００７６】
さらに、公開パッケージ作成手段３２は、公開パッケージ作成要求受付手段３１が公開プロトコル作成要求を受け付けた受付日時とプロトコル公開パッケージ作成サーバ３の識別情報とから作成した情報を撮影プロトコルの識別情報とすることもできる。
【００７７】
ＨＴＭＬテンプレートは、プロトコル公開機関８で撮影プロトコルを公開する際に用いられるＷｅｂページのテンプレートとなる。ＨＴＭＬテンプレートを公開パッケージに含ませる場合、公開パッケージ作成手段３２は、上記撮影プロトコルの識別情報をＨＴＭＬテンプレートに含ませる。つまり、公開パッケージ作成手段３２は、ＨＴＭＬテンプレートに撮影プロトコルの識別情報を記述し、そのＨＴＭＬテンプレートを公開パッケージに含ませる。
【００７８】
公開パッケージにＨＴＭＬテンプレートを含ませることにより、プロトコル公開医療機関６におけるプロトコル公開希望者は、このＨＴＭＬテンプレートに撮影プロトコルの代表画像を添付したりコメントを追記したりすれば良いため、撮影プロトコル公開用のＷｅｂページを簡便に作成することが可能となる。そして、プロトコル公開機関８は、そのＨＴＭＬテンプレートに従って作成された撮影プロトコル公開用のＷｅｂページをインターネット上に公開する。
【００７９】
また、上記撮影プロトコルの識別情報を暗号化しても良い。撮影プロトコルの識別情報を暗号化する場合、公開パッケージ作成手段３１は、上記撮影プロトコルの識別情報を予め定められた方法で暗号化し、暗号化データを予め定められた方法で分割して割符データを生成する。このとき、公開パッケージ作成手段３１は、分割後の各割符データに割符識別情報を付す。そして、公開パッケージ作成手段３１は、一方の割符データを公開パッケージに含ませ、他方の割符データをプロトコル配信機関２内のプロトコル情報記憶手段２１に記憶させておく。復号する場合は、各割符データに付された割符識別情報に基づいて対となる割符データをプロトコル情報記憶手段２１から検索し、復号処理を行って撮影プロトコルの識別情報を得る。このように識別情報を分割することで、割符として機能することになる。
【００８０】
また、撮影プロトコルそのものを暗号化しても良い。この場合、公開パッケージ作成手段３１は、撮影プロトコルを予め定められた方法で暗号化し、暗号化データを予め定められた方法で分割して割符データを生成する。このとき、公開パッケージ作成手段３１は、分割後の各割符データに割符識別情報を付す。そして、公開パッケージ作成手段３１は、一方の割符データを公開パッケージに含ませ、他方の割符データをプロトコル配信機関２内のプロトコル情報記憶手段２１に記憶させておく。復号する場合は、各割符データに付された割符識別情報に基づいて対となる割符データをプロトコル情報記憶手段２１〜検索し、復号処理を行って撮影プロトコルを得る。このように撮影プロトコルを分割することで、割符として機能することになる。
【００８１】
以上のようにして公開パッケージを作成すると、公開パッケージ作成手段３２は、公開パッケージを公開パッケージ送信手段３３に送り、さらにその公開パッケージをプロトコル情報記憶手段２１に記憶させる。このとき、公開パッケージ作成手段３２は、撮影プロトコルに、上記方法により作成した識別情報を付してプロトコル情報記憶手段２１に記憶させる。
【００８２】
公開パッケージ送信手段３３は、公開パッケージ作成手段３２が作成した公開パッケージをプロトコル公開医療機関６内の医用画像診断装置７に送信する。このときの送信方法として、Ｗｅｂサービス、ＦＴＰ、又はＨＴＴＰなどを用いることができる。
【００８３】
医用画像診断装置７内の公開パッケージ受信手段７５は、公開パッケージ送信手段３３から送信された公開パッケージを受信する。公開パッケージ取得手段７６は、公開パッケージ受信手段７５が受信した公開パッケージを取得する。プロトコル公開希望者は、その公開パッケージを利用して撮影プロトコル公開用のＷｅｂページを作成する。上述したように、公開パッケージにＨＴＭＬテンプレートが含まれている場合は、プロトコル公開希望者は、そのＨＴＭＬテンプレートにコメントを追記したり代表画像を添付したりするだけで、容易に撮影プロトコル公開用のＷｅｂページを作成することが可能となる。
【００８４】
この撮影プロトコル公開用のＷｅｂページのリンク情報として、公開パッケージに含まれる転送先ＵＲＬ（プロトコル配信機関２のＵＲＬ）、撮影プロトコルの識別情報（ハッシュ値など）を定義しておく。そして、このＷｅｂページをインターネット上に公開し、プロトコル利用希望者がＷｅｂページを参照してＷｅｂページ上で配信要求を指示すると、撮影プロトコルの配信要求と撮影プロトコルの識別情報（ハッシュ値など）が上記転送先ＵＲＬに従ってプロトコル配信機関２に送信される。これにより、プロトコル配信機関２に対する撮影プロトコルの配信予約が完了する。
【００８５】
プロトコル公開機関８はプロトコル情報公開サーバ８１を備えている。プロトコル情報公開サーバ８１は、プロトコル公開医療機関６の公開希望者によって作成されたＷｅｂページをインターネットなどの公開ネットワーク上に公開する。このプロトコル公開サーバ８１が、プロトコル公開手段として機能する。プロトコル利用医療機関９のプロトコル利用希望者はそのＷｅｂページを参照することで、配信を希望する撮影プロトコルの指定が可能となる。
【００８６】
なお、医用画像診断装置７は、コンピュータに公開パッケージ作成要求のプログラムを読み込ませることにより、コンピュータに公開パッケージ作成要求受付手段７１、撮影プロトコル取得手段７３、公開パッケージ作成要求送信手段７４、公開パッケージ受信手段７５、及び公開パッケージ取得手段７６の機能を実行させる。
【００８７】
また、プロトコル公開パッケージ作成サーバ３は、コンピュータに公開パッケージ作成プログラムを読み込ませることにより、コンピュータに公開パッケージ作成要求受付手段３１、公開パッケージ作成手段３２、及び公開パッケージ送信手段の機能を実行させる。
【００８８】
次に、上述した各機能による公開パッケージ作成処理の流れについて図４及び図５を参照して説明する。図４は、この発明の第１の実施形態に係る医用装置プロトコル提供システムによる公開パッケージ作成処理の流れを示すフローチャートである。図５は、公開パッケージ作成に際して表示装置に表示される画面を示す図である。
【００８９】
プロトコル公開医療機関６のプロトコル公開希望者がプロトコル配信機関（医療機器ベンダ）２にアクセスすると、医用画像診断装置７又はそれに接続されたコンピュータの表示装置（図示しない）に、図５（ａ）に示すユーザ認証画面が表示される。ここでは、ユーザＩＤ及びパスワードを利用する例を示す。キーボードなどの入力装置（図示しない）を用いてユーザＩＤ及びパスワードなどのユーザの識別情報が入力されると、公開パッケージ作成要求受付手段７１はユーザの識別情報の入力を受け付け、ユーザの識別情報を公開パッケージ作成要求送信手段７４に送る。公開パッケージ作成要求送信手段７４は、ユーザの識別情報を医用機器ベンダ２に設置されているプロトコル公開パッケージ作成サーバ３に送信する。
【００９０】
プロトコル公開パッケージ作成サーバ３内の公開パッケージ作成要求受付手段３１は、プロトコル公開医療機関６から送信されたユーザの識別情報を受信してユーザ認証を行う（ステップＳ２０）。公開パッケージ作成要求受付手段３１は、そのユーザ認証の際、ユーザ情報記憶手段２２に記憶されている登録されたユーザ識別情報を参照し、ユーザが適正なユーザであるか否かを判断する。
【００９１】
ユーザ認証がされて、適正なユーザであると判断された場合は、プロトコル公開医療機関６内の表示装置（図示しない）には、図５（ｂ）に示す公開パッケージ作成対象の選択画面が表示される。公開パッケージ作成対象となる撮影プロトコルの選択画面には、撮影プロトコル記憶手段７２に記憶されている撮影プロトコルを特定するための情報が表示される。例えば撮影プロトコルの一覧が表示され、その中から複数の撮影プロトコルを選択することが可能となっている。この一覧表示には、撮影プロトコルの名称や撮影プロトコルの作成者などが表示される。その他にも、ユーザが作成したコメントや、撮影プロトコルを用いて撮影して得られた代表画像などを同時に表示しても良い。このように、コメントや代表画像などを表示することで、撮影プロトコルの選択が容易になる。例えば図５（ｂ）に示す例では、「１２３」は撮影プロトコルの番号を示し、「頭部用」は撮影プロトコルが適用される診断部位を示し、「Ｄｒ．Ａ」は撮影プロトコルの作成者を示している。
【００９２】
また、図５（ｂ）に示す画面上で、公開パッケージを作成するときの作成条件を指定することもできる。例えば、撮影プロトコルの識別情報（ハッシュ値など）のみを作成して公開パッケージに含ませるのか、識別情報を含むＨＴＭＬテンプレートを公開パッケージに含ませるのか、を選択可能に表示することもできる。プロトコル公開希望者は、マウスなどの入力装置（図示しない）を用いて作成条件を選択することができる。
【００９３】
プロトコル公開医療機関６に設置された表示装置に表示された公開パッケージ作成対象の選択画面上で、マウスなどの入力装置（図示しない）を用いてプロトコル公開希望者により公開を希望する撮影プロトコルが指定されると、公開パッケージ作成要求受付手段７１はその指定の入力を受け付ける（ステップＳ２１）。また、公開パッケージの作成条件が入力装置にて指定された場合は、公開パッケージ作成要求受付手段７１はその指定の入力も受け付ける。
【００９４】
撮影プロトコル取得手段７３は、公開パッケージ作成対象の撮影プロトコルを撮影プロトコル記憶手段７１から取得し、公開パッケージ作成要求送信手段７４に送る（ステップＳ２２）。
【００９５】
公開パッケージ作成要求送信手段７４は、公開パッケージの作成要求と撮影プロトコル記憶手段７１から取得された撮影プロトコルとを、医療機器ベンダ２内のプロトコル公開パッケージ作成サーバ３に送信する（ステップＳ２３）。公開パッケージの作成条件が指定されている場合は、公開パッケージ作成要求送信手段７４は、その作成条件を示す情報もプロトコル公開パッケージ作成サーバ３に送信する。また、撮影プロトコルが利用される医用画像診断装置７の識別情報（製造番号など）を送信しても良い。
【００９６】
プロトコル公開パッケージ作成サーバ３内の公開パッケージ作成要求受付手段３１は、医用画像診断装置７から送信された公開パッケージ作成要求と公開パッケージ作成対象の撮影プロトコルを受信し、それらを公開パッケージ作成手段３２に送る。なお、医用画像診断装置７から、公開パッケージの作成条件及び医用画像診断装置７の識別情報が送信された場合は、公開パッケージ作成要求受付手段３１は、それらの情報も公開パッケージ作成手段３２に送る。
【００９７】
公開パッケージ作成手段３２は公開パッケージ作成対象の撮影プロトコルを受けると、その撮影プロトコルの識別情報を作成する（ステップＳ２４）。例えば、公開パッケージ作成手段３２は撮影プロコルのハッシュ値を算出し、そのハッシュ値を撮影プロトコルの識別情報とする。公開パッケージの作成条件が指定されて場合は、公開パッケージ作成手段３２は、その作成条件に従って公開パッケージを作成する。
【００９８】
また、医用画像診断装置７から識別情報（製造番号など）が送信された場合は、撮影プロトコルのハッシュ値と医用画像診断装置７の識別情報（製造番号など）とを含む情報を撮影プロトコルの識別情報としても良い。さらに、公開パッケージ作成要求受付手段３１で発番された公開パッケージ作成要求の受付番号を撮影プロトコルの識別情報としても良く、受付日時とプロトコル公開パッケージ作成サーバ３の識別情報とから作成した情報を撮影プロトコルの識別情報としても良い。
【００９９】
さらに、公開パッケージ作成手段３２は、撮影プロトコルの識別情報を暗号化し、さらに分割して割符データを作成しても良い。割符データを作成する場合、公開パッケージ作成手段３２は、各割符データに割符識別情報を付す。
【０１００】
そして公開パッケージ作成手段３２は、撮影プロトコル配信の要求先の情報（ここではプロトコル配信機関２のアドレス（ＵＲＬ））と、撮影プロトコルの識別情報（ハッシュ値や割符データなど）とを含ませたものを公開パッケージとする（ステップＳ２５）。なお、公開パッケージの作成条件として、ＨＴＭＬテンプレートを公開パッケージに含ませる要求があった場合は、公開パッケージ作成手段３２は、撮影プロトコルの識別情報が記載されたＨＴＭＬテンプレートを公開パッケージに含ませる。
【０１０１】
公開パッケージ作成手段３２は、作成した公開パッケージをプロトコル情報記憶手段２１に記憶させるとともに、公開パッケージ送信手段３３に送る。このとき、公開パッケージ作成手段３２は、撮影プロトコルに識別情報を付してプロトコル情報記憶手段２１に記憶させる。
【０１０２】
公開パッケージ送信手段３３は、公開パッケージ作成手段３２から送られた公開パッケージをプロトコル公開医療機関６に送信する（ステップＳ２６）。
【０１０３】
プロトコル公開医療機関６の公開パッケージ受信手段７５は、プロトコル配信機関２から送信された公開パッケージを受信し、公開パッケージ取得手段７６は受信された公開パッケージを取得する。公開パッケージ受信手段７５が公開パッケージを受信すると、医用画像診断装置７の表示装置上に、図５（ｃ）に示す公開パッケージの内容を示す確認画面が表示される。例えば、番号が「１２３」で「頭部用」の撮影プロトコルの公開パッケージが作成され、その公開パッケージに、撮影プロトコル配信の要求先の情報（プロトコル配信機関２のＵＲＬなど）と撮影プロトコルの識別情報とが含まれている場合は、表示装置上に「１２３  頭部用  識別情報のみ」と表示される。この場合、公開パッケージには、ＨＴＭＬテンプレートが含まれていないことになる。
【０１０４】
プロトコル公開医療機関６のプロトコル公開希望者は、取得した公開パッケージを利用して撮影プロトコル公開用のＷｅｂページを作成する（ステップＳ２７）。公開パッケージにＨＴＭＬテンプレートが含まれている場合は、そのＨＴＭＬテンプレートに代表画像を添付したりコメントを追記したりするだけで、簡便にＷｅｂページを作成することができる。このＷｅｂページのリンク情報として、公開パッケージに含まれる転送先ＵＲＬ（ここではプロトコル配信機関２のＵＲＬ）、プロトコルの識別情報（ハッシュ値や割符データなど）を定義しておく。
【０１０５】
そして、プロトコル公開機関８内のプロトコル情報公開サーバ８１は、上記Ｗｅｂページをインターネット上に公開する（ステップＳ２８）。
【０１０６】
プロトコル利用医療機関９のプロトコル利用希望者は、インターネット上に公開されたＷｅｂページを参照することで、配信を希望する撮影プロトコルの指定が可能となる。そして、そのＷｅｂページ上で配信を希望する撮影プロトコルを指定すると、撮影プロトコルの配信要求と撮影プロトコルの識別情報（ハッシュ値など）とが、Ｗｅｂページに定義されているＵＲＬに従ってプロトコル配信機関２に送信され、撮影プロトコルの配信予約がなされる。
【０１０７】
以上のように、プロトコル公開医療機関６のプロトコル公開希望者は、新たに作成した撮影プロトコルをプロトコル配信機関（医療機器ベンダ）２に登録し、撮影プロトコル公開用の公開パッケージを取得することで、新たに作成した撮影プロトコルを公開するための情報を簡単に取得することができる。これにより、新たに作成された撮影プロトコルを簡単に公開することが可能となる。また、公開パッケージにＨＴＭＬテンプレートを含ませることにより、更に簡便に公開用のＷｅｂページを作成することが可能となる。
【０１０８】
（撮影プロトコル配信要求の受付に関連する機能）
次に、撮影プロトコル配信要求の受付に関連する機能について説明する。プロトコル利用医療機関９内のプロトコル情報参照端末１０の機能、医用画像診断装置１１の機能、及び医療機器ベンダ２内のプロトコル配信要求受付サーバ４の機能が、撮影プロトコル配信要求の受付に関連する機能に該当する。
【０１０９】
プロトコル情報参照用端末１０の公開情報参照手段１０１は、プロトコル公開機関８が公開している情報を参照する手段であり、プロトコル公開機関８がＷｅｂページとして情報を公開している場合はＷｅｂブラウザとして機能し、Ｗｅｂサービスとして情報を公開してればＷｅｂサービスクライアントとして機能する。プロトコル情報参照用端末１０の表示装置（図示しない）に表示される画面の一例として、Ｗｅｂページとして情報が公開されている場合について図９を参照して説明する。図９は、撮影プロトコル配信要求の受付に際して表示装置に表示される画面を示す図である。
【０１１０】
プロトコル公開機関８内のプロトコル情報公開サーバ８１は、図９（ａ）に示すような撮影プロトコルを紹介するＷｅｂページを公開する。このＷｅｂページは、プロトコル配信機関２により作成された公開パッケージを利用して、プロトコル公開医療機関６のプロトコル公開希望者が作成したＷｅｂページである。
【０１１１】
プロトコル公開医療機関６のプロトコル公開希望者が、Ｗｅｂページに代表画像を添付した場合は、図９（ａ）に示すＷｅｂページのように、撮影プロトコルの一部である撮影条件とその代表画像が掲載されている。また、コメントを追記した場合には、Ｗｅｂページにはそのコメントが掲載される。
【０１１２】
プロトコル利用医療機関６のプロトコル利用希望者は、公開情報参照手段１０１によってＷｅｂページに公開されている代表画像やその説明を参照し、配信を希望する撮影プロトコルを決定する。その後、撮影プロトコルの利用希望者がマウスなどの入力装置を用いて、図９（ａ）に示す画面上のダウンロードボタン（ＤＬボタン）をクリックする。
【０１１３】
上述したように、プロトコル公開機関８が公開するＷｅｂページのリンク情報として、公開パッケージに含まれる転送先ＵＲＬ（プロトコル配信機関２のＵＲＬ）、及び撮影プロトコルの識別情報（ハッシュ値や割符データなど）が定義されている。これにより、ＤＬボタンがクリックされることで、Ｗｅｂページに含まれる、または、プロトコル情報参照用端末１０に予めインストールされているプラグイン機能が持つプロトコル配信要求送信手段１０２が、プロトコル配信要求をプロトコル配信機関２に送信する。このとき、プロトコル配信要求送信手段１０２は、プロトコル配信要求とともに、Ｗｅｂページに定義されている撮影プロトコルの識別情報（ハッシュ値や割符データなど）もプロトコル配信機関２に送信する。
【０１１４】
ここで、プロトコル配信要求送信手段１０２の具体的な構成について図６を参照して説明する。図６は、プロトコル配信要求送信手段の具体的な構成を示すブロック図である。
【０１１５】
プロトコル識別情報保持手段１０２Ａは、撮影プロトコルの識別情報を保持する手段であり、例えば、ＨＴＭＬ文書に撮影プロトコル（ハッシュ値など）が記述されている。送信情報保持手段１０２Ｂは、撮影プロトコルの配信要求先であるプロトコル配信機関２のＵＲＬを保持する手段であり、例えば、ＨＴＭＬ文書にそのＵＲＬが記述されている。送信データ生成手段１０２Ｃは、ブラウザの機能として実現され、プロトコル配信要求と撮影プロトコルとからなる送信データを生成する。送信手段１０２Ｄは、ブラウザの機能として実現され、プロトコル配信要求と撮影プロトコルの識別情報とを、上記ＵＲＬに従って医療機器ベンダ２に送信する。
【０１１６】
プロトコル配信要求受付サーバ４内のプロトコル配信要求受付手段４１は、プロトコル配信要求送信手段１０２から送信されたプロトコル配信要求と撮影プロトコルの識別情報（ハッシュ値や割符データなど）とを受け付ける。そして、プロトコル配信要求受付手段４１は、プロトコル配信要求を受け付けると、ユーザ認証用の画面情報をプロトコル情報参照用端末１０に送信する。
【０１１７】
このユーザ認証画面を図９（ｂ）に示す。ここでは、ユーザＩＤ及びパスワードを利用する例を示す。プロトコル情報参照用端末１０でユーザＩＤ及びパスワードなどのユーザの識別情報が入力されると、プロトコル配信要求送信手段１０２はユーザの識別情報を医用機器ベンダ２のプロトコル配信要求受付サーバ４に送信する。プロトコル配信要求受付手段４１は、送信されたユーザ識別情報と、予め登録されてユーザ情報記憶手段２２に記憶されているユーザ識別情報とを比較することでユーザ認証を行う。
【０１１８】
ユーザ認証されて適正なユーザであると判断されると、プロトコル配信要求受付手段４１は、ユーザ識別情報に基づいて撮影プロトコルのダウンロード先の医用画像診断装置を特定する。上述したように、ユーザ情報記憶手段２２には、プロトコル配信機関２のユーザが所有している医用画像診断装置の識別情報がユーザ識別情報と対応付けられて予め記憶されているため、プロトコル配信要求受付手段４１は、ユーザ識別情報に基づいて撮影プロトコルの配信先の医用画像診断装置１１を特定する。
【０１１９】
このように配信先の医用画像診断装置１１を自動的に特定しても良く、ユーザに選択させても良い。例えば、ユーザ認証されると、プロトコル配信要求受付手段４１は撮影プロトコルの配信条件設定用の画面情報をプロトコル情報参照用端末１０に送信する。
【０１２０】
プロトコル情報参照用端末１０の表示装置に表示される配信条件設定用の画面を図９（ｃ）に示す。表示装置には、撮影プロトコル配信先の医用画像診断装置１１の識別情報（装置名称や製造番号など）が表示され、マウスなどの入力装置を用いて、その識別情報（装置の名称や製造番号など）を指定することができる。ここで指定された医用画像診断装置１１の識別情報は、プロトコル配信要求送信手段１０２によってプロトコル配信要求受付手段４１に送信される。図９（ｃ）に示す例においては、「装置Ａ」、「装置Ｂ」などは医用画像診断装置１１の名称を示し、「ＣＴ」、「ＭＲ」は医用画像診断装置１１の種類を示し、「型式Ａ−１２３」などは医用画像診断装置１１の製造番号を示している。
【０１２１】
さらに、プロトコル配信要求受付手段４１は、プロトコル配信要求送信手段１０２から送信された撮影プロトコルの識別情報（ハッシュ値や割符データなど）に基づいて、配信が必要な撮影プロトコルを特定する。例えば、プロトコル公開パッケージ作成サーバ３が公開パッケージを作成したときに、撮影プロトコルに基づいてハッシュ値が求められた場合は、そのハッシュ値が撮影プロトコルの識別情報となるため、プロトコル配信要求送信手段１０２からハッシュ値がプロトコル配信要求受付手段４１に送信される。従って、プロトコル配信要求受付手段４１は、そのハッシュ値に基づいて配信が必要な撮影プロトコルを特定する。プロトコル配信要求受付手段４１は、そのハッシュ値を検索条件としてプロトコル情報記憶手段２１を検索して、そのハッシュ値（識別情報）が付された撮影プロトコルを取得する。
【０１２２】
また、プロトコル公開パッケージ作成サーバ３が公開パッケージを作成したときに、撮影プロトコルに基づいてハッシュ値を求め、そのハッシュ値に医用画像診断装置７の識別情報を加えた情報を撮影プロトコルの識別情報とした場合は、プロトコル配信要求送信手段１０２からハッシュ値と医用画像診断装置７の識別情報とを含む撮影プロトコルの識別情報がプロトコル配信要求受付手段４１に送信される。従って、プロトコル配信要求受付手段４１は、そのハッシュ値と医用画像診断装置７の識別情報とに基づいて配信が必要な撮影プロトコルを特定する。この場合も、プロトコル配信要求受付手段４１は、ハッシュ値と医用画像診断装置７の識別情報とを検索条件としてプロトコル情報記憶手段２１を検査して、そのハッシュ値と医用画像診断装置７の識別情報とが付された撮影プロトコルを取得する。
【０１２３】
また、プロトコル公開パッケージ作成サーバ３が公開パッケージを作成したときに、撮影プロトコルの識別情報を暗号化し、暗号化データを分割して割符データを作成した場合は、プロトコル配信要求送信手段１０２から割符データがプロトコル配信要求受付手段４１に送信される。この場合、プロトコル配信要求受付手段４１は、受信した割符データに付されている割符識別情報に基づいて対となる割符データをプロトコル情報記憶手段２１から取得し、復号処理を行って撮影プロトコルの識別情報を得る。そして、プロトコル配信要求受付手段４１は、撮影プロトコルの識別情報に基づいて配信が必要な撮影プロトコルを特定する。
【０１２４】
さらに、プロトコル配信要求受付手段４１は、ユーザの識別情報に基づいて予め設定された配信条件を特定する。例えば、配信条件をユーザ識別情報に対応付けて予め配信計画情報記憶手段２３に記憶させておく。そして、プロトコル配信要求受付手段４１は、ユーザ識別情報を検索条件として配信計画情報記憶手段２３を検索して配信条件を特定する。
【０１２５】
配信条件には、配信すべき日付や日時を示す配信日付情報、配信する際の医用画像診断装置１１のステータスの情報などの情報が含められる。つまり、いつ撮影プロトコルを配信すべきかが配信条件とされる。この際、撮影プロトコルの配信タイミングは、日時とすることもできるし、医用画像診断装置１１が所定のステータスとなった時とすることもできる。ステータスとして、医用画像診断装置１１の次回の起動時、停止時、又はアイドリング時などが該当する。
【０１２６】
また、配信条件は、プロトコル利用希望者によって、その都度、設定することもできる。例えば、図９（ｃ）に示す配信条件設定用の画面をプロトコル情報参照用端末１０の表示装置に表示しても良い。この配信条件設定用の画面を参照し、マウスなどの入力装置を用いることにより、配信する際の医用画像診断装置１１のステータスの情報を指定することができる。ここで指定された配信条件を示す情報は、プロトコル配信要求送信手段１０２からプロトコル配信要求受付手段４１に送信される。例えば、医用画像診断装置１１の起動時に配信するのか、停止時に配信するのかを選択することができる。
【０１２７】
以上のように、配信が必要な撮影プロトコルと、その撮影プロトコルの配信先の医用画像診断装置１１とが特定されると、さらにプロトコル配信要求受付手段４１は、特定した配信先の医用画像診断装置１１と特定した撮影プロトコルとを対比し、その撮影プロトコルがその医用画像診断装置１１にインストールできるか否かの判断を行う。インストール可能と判断した場合は、プロトコル配信要求受付手段４１は、配信計画を作成し、その配信計画を配信計画情報記憶手段２３に記憶させる。配信計画には、撮影プロトコルの配信先の医用画像診断装置１１の識別情報（製造番号など）、配信条件（配信のタイミング）、及び配信すべき撮影プロトコルの識別情報が含まれる。
【０１２８】
インストールできないと判断した場合は、その撮影プロトコルを医用画像診断装置１１に適合するようにパラメータを変換する。医用画像診断装置１１の型式情報をキーとしたパラメータ値変換テーブルを予め用意して記憶手段に記憶しておき、プロトコル配信要求受付手段４１は、そのテーブルを用いることで撮影プロトコルの変換を行う。または、パラメータ値変換のための式を医用画像診断装置１１の型式をキーとして予め作成して記憶手段に記憶しておき、その式を利用して撮影プロトコルのパラメータを変換しても良い。
【０１２９】
プロトコル配信要求受付サーバ４は、コンピュータに撮影プロトコル配信要求受付のプログラムを読み込ませることにより、コンピュータにプロトコル配信要求受付手段４１の機能を実行させる。
【０１３０】
また、プロトコル情報参照用端末１０は、コンピュータにプログラムを読み込ませることにより、コンピュータに公開情報参照手段１０１及びプロトコル配信要求送信手段１０２の機能を実行させる。
【０１３１】
次に、上述した各機能による撮影プロトコル配信要求の受付処理の流れについて図７、図８及び図９を参照して説明する。図７は、この発明の第１の実施形態に係る医用装置プロトコル管理システムによる撮影プロトコル配信要求の受付処理の流れを示すフローチャートである。図８は、この発明の第１の実施形態に係る医用装置プロトコル管理システムによる撮影プロトコルの特定処理の流れを示すフローチャートである。
【０１３２】
プロトコル利用医療機関９のプロトコル利用希望者は、プロトコル情報参照用端末１０を用いてプロトコル公開機関８がインターネット上に公開しているＷｅｂページを参照する（ステップＳ３０）。プロトコル公開機関８内のプロトコル情報公開サーバ８１は、図９（ａ）に示す撮影プロトコルを紹介するＷｅｂページを公開する。このＷｅｂページは、プロトコル配信機関２により作成された公開パッケージを利用して、プロトコル公開医療機関６の公開希望者が作成したＷｅｂページである。
【０１３３】
プロトコル利用希望者は、公開情報参照手段１０１によってＷｅｂページに公開されている代表画像やその説明を参照し、配信を希望する撮影プロトコルを決定する（ステップＳ３１）。配信希望の撮影プロトコルを決定した後、撮影プロトコルの利用希望者は、マウスなどの入力装置を用いて、図９（ａ）に示す画面上のダウンロードボタン（ＤＬボタン）をクリックする。
【０１３４】
ＤＬボタンがクリックされることで、Ｗｅｂページに含まれる、または、プロトコル情報参照用端末１０に予めインストールされているプラグイン機能が持つプロトコル配信要求送信手段１０２が、プロトコル配信要求と、公開パッケージに含まれる撮影プロトコルの識別情報（ハッシュ値や割符データなど）をプロトコル配信機関２に送信する（ステップＳ３２）。上述したように、Ｗｅｂページにはプロトコル配信機関２のＵＲＬや撮影プロトコルの識別情報が定義されているため、ＤＬボタンをクリックすることで、プロトコル配信要求送信手段１０２によって、プロトコル配信要求と撮影プロトコルの識別情報とがプロトコル配信機関２に送信される。
【０１３５】
プロトコル配信要求受付サーバ４内のプロトコル配信要求受付手段４１は、プロトコル配信要求と撮影プロトコルの識別情報（ハッシュ値や割符データなど）とを受け付けると、ユーザ認証用の画面情報をプロトコル情報参照用端末１０に送信する。
【０１３６】
プロトコル情報参照用端末１０の表示装置には、図９（ｂ）に示すユーザ認証画面が表示され、プロトコル利用希望者は、入力装置を用いてユーザＩＤ及びパスワードなどのユーザ識別情報を入力する。ここで入力されたユーザ識別情報は、プロトコル配信要求送信手段１０２によりプロトコル配信機関２のプロトコル配信要求受付手段４１に送信される。プロトコル配信要求受付手段４１は、送信されたユーザ識別情報と、予め登録されているユーザ識別情報とを比較することでユーザ認証を行う（ステップＳ３３）。
【０１３７】
ユーザ認証されて適正なユーザであると判断されると、プロトコル配信要求受付手段４１は、ユーザ識別情報に基づいてユーザ情報記憶手段２２を検索することで、撮影プロトコルの配信先の医用画像診断装置１１を特定する（ステップＳ３４）。または、図９（ｃ）に示す配信条件設定用の画面を参照して、プロトコル利用希望者が配信先の医用画像診断装置１１を指定することもできる。この場合、医用画像診断装置１１の名称（装置Ａなど）や製造番号（型式Ａ−１２３）などを表示装置に表示し、プロトコル利用希望者は入力装置を用いて配信先の医用画像診断装置１１を指定する。ここで指定された医用画像診断装置１１の識別情報は、プロトコル配信要求送信手段１０２によってプロトコル配信要求受付手段４１に送信される。
【０１３８】
さらに、プロトコル配信要求受付手段４１は、ユーザ識別情報に基づいて配信計画情報記憶手段２３を検索することで、配信タイミング（配信条件）を特定する（ステップＳ３５）。または、図９（ｃ）に示す配信条件設定用の画面を参照して、プロトコル利用希望者が配信タイミング（配信条件）を指定することができる。
【０１３９】
次に、プロトコル配信要求受付手段４１は、プロトコル配信要求送信手段１０２から送信された撮影プロトコルの識別情報（ハッシュ値や割符データなど）に基づいて、配信が必要な撮影プロトコルを特定する（ステップＳ３６）。このステップＳ３６における撮影プロトコルの特定処理の流れについて図８を参照して説明する。
【０１４０】
公開パッケージに含まれる情報によって撮影プロトコルの特定方法が異なる。つまり、公開パッケージを作成した際に、作成された識別情報の種類によって撮影プロトコルの特定方法が異なる。プロトコル配信要求送信手段１０２から送信された撮影プロトコルの識別情報がハッシュ値の場合（ステップＳ３６１、Ｙｅｓ）、プロトコル配信要求受付手段４１は、そのハッシュ値を検索条件として、そのハッシュ値が付された撮影プロトコルをプロトコル情報記憶手段２１から取得する（ステップＳ３６２）。
【０１４１】
その後、プロトコル配信要求受付手段４１は、撮影プロトコルの配信計画を作成する（ステップＳ３６３）。このときプロトコル配信要求受付手段４１は、先に特定された配信のタイミング（配信条件）、配信先の医用画像診断装置１１の識別情報（製造番号など）、及び配信すべき撮影プロトコルの識別情報を含む情報を配信計画とし、この配信計画を配信計画情報記憶手段２３に記憶させる。
【０１４２】
また、プロトコル配信要求送信手段１０２から送信された識別情報が撮影プロトコルのハッシュ値ではなく（ステップＳ３６１、Ｎｏ）、ハッシュ値と医用画像診断装置の識別情報とを含む情報の場合（ステップＳ３６４、Ｙｅｓ）、プロトコル配信要求受付手段４１は、ハッシュ値と医用画像診断装置の識別情報とを検索条件として撮影プロトコルをプロトコル情報記憶手段２１から取得する（ステップＳ３６５）。その後、プロトコル配信要求受付手段４１は、撮影プロトコルの配信計画を作成する（ステップＳ３６３）。
【０１４３】
また、プロトコル配信要求送信手段１０２から送信された識別情報がハッシュ値と医用画像診断装置の識別情報とを含む情報ではなく（ステップＳ３６４、Ｎｏ）、割符データである場合には（ステップＳ３６６、Ｙｅｓ）、プロトコル配信要求受付手段４１は、その割符データに含まれる割符識別情報に基づいて対となる割符データをプロトコル情報記憶手段２１から取得する（ステップＳ３６７）。そして、プロトコル波信要求受付手段４１は、２つの割符データを復号処理することにより撮影プロトコルの識別情報を得る（ステップＳ３６８）。復号処理が正常に行われた場合は（ステップＳ３６９、Ｙｅｓ）、プロトコル配信要求受付手段４１は復号した撮影プロトコルの識別情報を検索条件として撮影プロトコルをプロトコル情報記憶手段２１から取得する（ステップＳ３７０）。一方、復号処理でエラーが発生した場合は（ステップＳ３６９、Ｎｏ）、割符データに何らかの問題があるため、エラー処理を行って（ステップＳ３７１）、配信計画などの以後の処理を行わずに終了する。
【０１４４】
以上のように、撮影プロトコルが特定されて配信計画が作成されると、プロトコル配信要求受付手段４１は、配信先の医用画像診断装置と特定された撮影プロトコルとから、その撮影プロトコルが配信先の医用画像診断装置にインストール可能か否かの判断を行う（ステップＳ３７）。
【０１４５】
インストール可能であると判断した場合は（ステップＳ３７、Ｙｅｓ）、プロトコル配信要求受付手段４１は先に作成した配信計画を配信計画情報記憶手段２３に記憶させる（ステップＳ３８）。
【０１４６】
一方、インストールができないと判断した場合は（ステップＳ３７、Ｎｏ）、プロトコル配信要求受付手段４１は、撮影プロトコルを配信先の医用画像診断装置に適合するように変換する（ステップＳ３９）。例えば、医用画像診断装置の型式情報をキーとしたパラメータ値変換テーブルを予め作成してプロトコル情報記憶手段２１に記憶させておく。プロトコル配信要求受付手段４１は、その変換テーブルを参照することで配信先の医用画像診断装置に適合するように撮影プロトコルの変換を行う。または、パラメータ値変換のための式を医用画像診断装置の型式をキーとして予め作成して記憶手段２１に記憶させておき、その式を利用して撮影プロトコルのパラメータを変換しても良い。プロトコル配信要求受付手段４１は、撮影プロトコルの変換処理を行った後に配信計画を配信計画情報記憶手段２３に記憶させる（ステップＳ３８）。
【０１４７】
配信計画が配信計画情報記憶手段２３に記憶されると、プロトコル配信要求受付手段４１は、配信予約の完了を示す画面情報をプロトコル情報参照用端末１０に送信する。プロトコル情報参照用端末１０の表示装置には、図９（ｄ）に示す配信予約の完了を示す画面が表示され、プロトコル利用希望者はその画面を参照することで、配信予約が完了したことを確認することが可能となる。
【０１４８】
以上の処理により、撮影プロトコルの配信予約が完了したことになる。プロトコル利用医療機関９のプロトコル利用希望者は、プロトコル配信機関２が公開している専用ページのみならず、インターネットなどの公開ネットワーク上に一般的に公開されている撮影プロトコルに関する情報を参照して、プロトコル配信機関２に撮影プロトコルの配信予約が可能となるため、簡便に所望の撮影プロトコルの配信を予約することが可能となる。
【０１４９】
（撮影プロトコルの配信に関連する機能）
次に、プロトコル配信機関２からプロトコル利用医療機関９への撮影プロトコルの配信に関連する機能について図１０を参照して説明する。図１０は、この発明の第１の実施形態に係る医用機器プロトコル提供システムにおける撮影プロトコルの配信に関連する機能を示す機能ブロック図である。プロトコル配信機関２内のプロトコル配信サーバ５に含まれる機能、及びプロトコル利用医療機関９に含まれる医用画像診断装置１１に含まれる機能が、撮影プロトコルの配信に関連する機能に該当する。
【０１５０】
プロトコル配信サーバ５内の装置情報取得手段５２は、医用画像診断装置１１から送信された、医用画像診断装置１１が起動状態であるか否かなどのステータスを示すステータス情報信号及び医用画像診断装置１１の識別情報（製造番号など）を装置データとして受信する装置データ受信機能を有する。また、装置情報取得手段５２は、医用画像診断装置１１から受信した装置データを解析することにより医用画像診断装置１１のステータスを判定する装置情報解析機能を有する。さらに、装置情報取得手段５２は、ステータスの判定結果を装置ステータス情報として装置ステータス記憶手段２４に書き込む装置情報保管機能を有する。
【０１５１】
ステータス情報信号には、例えば医用画像診断装置１１の起動、停止（装置シャットダウン）、アイドリング開始、検査開始（撮影開始）、検査終了（撮影終了）などのイベントの際に生成されるイベント情報信号などの信号が利用される。
【０１５２】
プロトコル配信手段５１は、配信計画情報記憶手段２３に保存された配信計画と、装置ステータス記憶手段２４に保存された装置ステータス情報とを参照し、必要に応じて現在の時間情報と配信計画情報に含まれる配信日時情報とを照合することにより撮影プロトコルの医用画像診断装置１１への配信が必要でるか否かを判定する配信条件判定機能を有する。
【０１５３】
なお、プロトコル配信手段５１は、配信計画情報記憶手段２４に保存されている配信計画に含まれる配信日時情報と現在の時間情報のみから、撮影プロトコルの医用画像診断装置１１への配信が必要であるか否かを判定するようにしても良い。
【０１５４】
また、プロトコル配信手段５１は、配信が必要であると判定された撮影プロトコルをプロトコル情報記憶手段２１から取得して、配信先となる医用画像診断装置１１に配信するプロトコル配信機能を有する。さらに、プロトコル配信手段５１は、撮影プロトコルの医用画像診断装置１１への配信が成功したか失敗したかの判定結果である配信結果を、配信計画情報記憶手段２３に保存されている配信計画に付加することにより、配信が失敗した場合には所要の配信ルールに従って再度配信が実施されるように配信計画を更新させる配信結果判定機能を有する。
【０１５５】
プロトコル配信確認手段５３は、医用画像診断装置１１から専用回線を介して、未配信の撮影プロトコルの配信予約状況を示す配信計画を確認し、必要に応じて配信計画を変更するための配信確認画面情報の生成要求を受信する配信確認画面生成要求受付機能を有する。また、プロトコル配信確認手段５３は、配信確認画面情報を生成する配信確認画面情報生成機能を有する。さらに、プロトコル配信確認手段５３は、生成した配信確認画面情報を指定された日時などのタイミングで、撮影プロトコルを配信すべき医用画像診断装置１１に送信する配信確認画面送信機能を有する。
【０１５６】
また、必要に応じてプロトコル配信確認手段５３は、配信確認画面情報とともに、配信確認画面情報を確認した旨あるいは配信条件を変更すべき旨の配信確認情報の要求を医用画像診断装置１１に送信する一方、医用画像診断装置１１から配信確認情報を受信してプロトコル配信手段５１に与える機能が備えられている。
【０１５７】
この場合、プロトコル配信手段５１には、プロトコル配信確認手段５３から受けた配信確認情報に基づいて、必要に応じて配信計画確認を更新する機能が備えられる。そして、プロトコル配信手段５１は、更新後の配信計画に従って撮影プロトコルの配信が必要であるか否かを判定し、配信が必要であると判定した撮影プロトコルを医用画像診断装置１１に配信する。
【０１５８】
なお、プロトコル配信サーバ５は、コンピュータに医用装置プロトコル配信プログラムを読み込ませることにより、コンピュータをプロトコル配信手段５１、装置情報取得手段５２、及びプロトコル配信確認手段５３として機能させたものでる。
【０１５９】
次に、上述した各機能による撮影プロトコルの配信処理の流れについて図１１及び図１２を参照して説明する。図１１は、この発明の第１の実施形態に係る医用装置プロトコル供給システムにおいける撮影プロトコルの配信処理の流れを示すフローチャートである。図１２は、撮影プロトコル配信の際に表示装置に表示される画面を示す図である。
【０１６０】
プロトコル利用医療機関９のプロトコル利用希望者は医用画像診断装置１１を起動させ、医療機器ベンダ２にアクセスすると、プロトコル配信サーバ５は、ユーザ認証用の画面情報を医用画像診断装置１１に送信する。医用画像診断装置１１の表示装置には、図１２（ａ）に示すユーザ認証画面が表示され、プロトコル利用希望者は、入力装置を用いてユーザＩＤ及びパスワードなどのユーザ識別情報を入力する。プロトコル配信サーバ５は、そのユーザ識別情報に基づいてユーザ認証を行う。
【０１６１】
ユーザ認証がされて適正なユーザであると判断された場合は、医用画像診断装置１１から撮影プロトコルの配信確認画面情報の生成要求がプロトコル配信機関２に送信される（ステップＳ４０）。プロトコル配信確認手段５３は、配信確認画面情報の生成要求を受信する。
【０１６２】
次に、プロトコル配信確認手段５３は、配信確認画面情報を生成する（ステップＳ４１）。配信確認画面情報には、例えば、配信計画の内容、配信計画を設定したユーザの識別情報、配信予約が完了した日時、配信先となる医用画像診断装置１１の識別情報、配信される撮影プロトコルに関する説明情報などの情報が含まれる。
【０１６３】
次に、プロトコル配信確認手段５３は、生成した配信確認画面情報とともに配信確認情報の要求を医用画像診断装置１１に送信する（ステップＳ４２）。そして、医用画像診断装置１１は、配信確認画面情報、及び配信確認情報の送信要求を受信して、配信確認画面を表示装置（図示しない）に表示させる。例えば、図１２（ｂ）に示すように、配信先の医用画像診断装置１１の識別情報（名称や製造番号など）や、配信条件（起動時など）が表示装置に表示される。
【０１６４】
このため、プロトコル利用希望者は、医用画像診断装置１１の表示装置上に表示された配信確認画面を参照することにより、撮影プロトコルの配信予約情報を確認することが可能となる。
【０１６５】
そして、プロトコル利用希望者は、配信確認画面を確認すると、配信確認情報を医用画像診断装置１１から医療機器ベンダ２に送信する（ステップＳ４３）。例えば、図１２（ｂ）に示す画面において、マウスなどの入力装置を用いて「ＤＬ」ボタン（ダウンロードボタン）をクリックすると、図１２（ｃ）に示すように、配信の最終確認画面が表示装置上に表示され、入力装置を用いて「開始」ボタンをクリックすると、医用画像診断装置１１からプロトコル配信機関２に配信確認情報が送信される。
【０１６６】
ここで、プロトコロル利用希望者は、撮影プロトコルの配信タイミングを変更したい場合には、配信計画情報を更新させることができる。例えば、プロトコル利用希望者は、撮影プロトコルの配信タイミングを、一定期間経過後の医用画像診断装置１１の起動時に変更することができる。このような場合には、配信計画変更要求が配信確認情報とともに医用画像診断装置１１からプロトコル配信機関２に送信される。
【０１６７】
次に、プロトコル配信確認手段５３は、医用画像診断装置１１から送信された配信確認情報と配信計画変更要求とを受信してプロトコル配信手段５１に与える。そして、プロトコル配信手段５１は、受信した配信計画変更要求に従って、配信計画記憶手段２３に保存された配信計画を更新する。例えば、一定期間経過後の医用画像診断装置１１の起動時に撮影プロトコルが配信されるように、配信計画が更新される。
【０１６８】
このため、例えば、緊急検査のために医用画像診断装置１１を起動させる場合のように撮影プロトコルの配信をキャンセルしたい場合には、配信確認画面を参照して配信計画を変更することにより撮影プロトコルの配信を延期することができる。
【０１６９】
次に、プロトコル配信確認手段５３は、再び更新後の配信計画に従って配信確認画面情報を生成する（ステップＳ４１）。
【０１７０】
そして、再びプロトコル配信確認手段５３は、更新後の配信計画に基づいて生成された配信確認画面情報を医用画像診断装置１１に送信する（ステップＳ４２）。このため、プロトコル利用希望者は、医用画像診断装置１１の表示装置上に表示された配信確認画面を参照することにより、撮影プロトコルの配信予約が変更された旨とともに更新後の配信予約状況を確認することができる。
【０１７１】
そして、プロトコル利用希望者は、配信確認画面を確認すると、配信確認情報を医用画像診断装置１１から医療機器ベンダ２に送信する（ステップＳ４５）。例えば、プロトコル利用希望者は、更新後の配信予約条件に従って撮影プロトコルが配信されるように、配信計画の変更がない旨の配信確認情報のみをプロトコル配信機関２に送信する。そして、プロトコル配信確認手段５３は、医療画像診断装置１１から送信された配信確認情報を受信する。
【０１７２】
次に、医用画像診断装置１１のステータスに変化があった際に、装置データが医療機器ベンダ２に送信される（ステップＳ４６）。つまり、医用画像診断装置１１では、医用画像診断装置１１の起動、停止、検査開始、又は検査終了などのイベントの際、イベントがあった旨のイベント情報信号が、医用画像診断装置１１が起動状態であるか否かなどのステータスを示すステータス情報信号として生成される。そして、ステータス情報信号は医用画像診断装置１１の識別情報（製造番号など）とともに装置データとして専用回線などのセキュア回線を介してプロトコル配信機関２に送信される。
【０１７３】
このため、プロトコル配信機関２の装置情報取得手段５２は、医用画像診断装置１１から送信されたステータス情報信号及び医用画像診断装置１１の識別情報（製造番号など）を装置データとして受信し、解析することにより、医用画像診断装置１１のステータスを判定し、判定結果及び医用画像診断装置１１の識別情報（製造番号など）を装置ステータス情報として装置ステータス記憶手段２４に書き込む。
【０１７４】
次に、プロトコル配信手段５１は、例えば装置情報取得手段５２による装置データの受信や装置ステータス情報の生成及び保存をトリガとして、装置ステータス記憶手段２４に保存された装置ステータス情報と、配信計画情報記憶手段２３に保存された配信計画とに基づいて撮影プロトコルの医用画像診断装置１１への配信が必要でるか否かを判定する（ステップＳ４７）。
【０１７５】
つまり、プロトコル配信手段５１により装置ステータス情報のうち医用画像診断装置１１の識別情報が抽出され、その識別情報に対応する医療画像診断装置１１についての配信計画が配信計画情報記憶手段２３に保存されているか否かを判定する。そして、判定の結果、識別情報に対する医療画像診断装置１１についての配信計画が存在し、撮影プロトコルの配信が未完了である場合には、配信計画に含まれる医用画像診断装置１１の配信時におけるステータスの指定情報と、装置ステータス情報とを照合する。
【０１７６】
さらに、プロトコル配信手段５１は、配信計画に含まれる配信日時情報と現在の時間とを照合し、配信日時として指定された日時を経過したか否かを判定する。
【０１７７】
次に、プロトコル配信手段５１は、照合の結果、医療画像診断装置１１のステータスが配信計画となる指定されたステータス（例えば起動状態）であり、かつ配信日時として指定された日時を経過したと判定した場合には、配信計画において指定された撮影プロトコルをプロトコル情報記憶手段２１から抽出して医用画像診断装置１１の識別情報に対応する医用画像診断装置１１に専用回線を介して送信する（ステップＳ４８）。この際、撮影プロトコルの配信が必要であると判定された医用画像診断装置１１が複数存在する場合には、それぞれの医用画像診断装置１１に対応する各撮影プロトコルがプロトコル配信手段５１により配信される。
【０１７８】
次に、プロトコル配信手段５１は、撮影プロトコルの医用画像診断装置１１への配信が成功したか失敗したかを判定する（ステップＳ４９）。そして、プロトコル配信手段５１は、判定結果である配信結果を配信計画情報記憶手段２３に保存された配信計画に付加することにより、配信計画を更新させる。
【０１７９】
すなわち、プロトコル配信手段５１は、撮影プロトコルの配信に失敗した場合には配信計画に配信未完了のステータス情報を付加する一方、配信が正常に終了した場合には、配信完了のステータス情報を付加する。
【０１８０】
このため、撮影プロトコルの配信に失敗した場合には、次回の装置データが装置情報取得手段５２により受信されて装置ステータス情報が装置ステータス記憶手段２４に保存された際に、再びプロトコル配信手段５１により撮影プロトコルの配信判定、及び配信が実行されることになる。
【０１８１】
以上の処理により、プロトコル利用医療機関９のプロトコル利用希望者は、インターネットなどの公開ネットワーク上に一般的に公開されているＷｅｂページを参照して、医療機器ベンダ２に対して撮影プロトコルの配信予約が可能となり、簡便に所望の撮影プロトコルを取得することが可能となる。
【０１８２】
（変形例）
次に、第１の実施形態に係る医用装置プロトコル提供システムの変形例について説明する。プロトコル配信機関（医療機器ベンダ）２がインターネットなどのネットワーク上に公開しているＷｅｂページに、撮影プロトコルを公開しているプロトコル公開機関８のリンク情報を掲載しても良い。この場合、プロトコル利用医療機関９のプロトコル利用希望者は、プロトコル配信機関２が提供するＷｅｂページを参照することで、撮影プロトコルを公開しているプロトコル公開機関８を簡単に見つけることが可能となる。つまり、プロトコル配信機関２が提供するＷｅｂページをポータルサイトとして機能させることで、プロトコル利用希望者は、多くの撮影プロトコル情報が掲載されているＷｅｂページを自ら検索する必要がなくなり、簡単にプロトコル公開機関８のサイトを見つけることができ、より利便性が向上する。
【０１８３】
ここで、プロトコル配信機関２が公開しているＷｅｂページをポータルサイトとして、そのサイトから撮影プロトコルの配信予約を行う例について、図１３を参照して説明する。図１３は、撮影プロトコル配信要求の受付に際して表示装置に表示される画面を示す図である。
【０１８４】
まず、プロトコル利用医療機関９のプロトコル利用希望者は、プロトコル情報参照端末１０を用いてプロトコル配信機関２にアクセスすると、図１３（ａ）に示すユーザ認証画面がプロトコル情報参照端末１０の表示装置に表示される。ここで、キーボードなどの入力装置にてユーザＩＤ及びパスワードなどのユーザ識別情報を入力すると、プロトコル配信要求送信手段１０２は、そのユーザ識別情報がプロトコル配信機関２のプロトコル配信要求受付サーバ４１に送信され、ユーザ認証処理が施される。ユーザ認証の方法については、上述した方法と同じである。
【０１８５】
そして、ユーザ認証がされて適正なユーザであると判断されると、プロトコル情報参照端末１０の表示装置には、図１３（ｂ）に示すように、撮影プロトコルを公開しているプロトコル公開機関８のリンク情報が表示される。プロトコル利用希望者は、このリンク情報を参照することで、簡単にプロトコル公開機関８のＷｅｂページを見つけることが可能となる。図１３（ｂ）に示す例においては、プロトコル公開機関８として学会の名称や病院の名称などが表示されている。この他、検査目的や診断部位などでカテゴリが分かれて表示されて、プロトコル公開機関８のＷｅｂページが検索できるようにしても良い。
【０１８６】
プロトコル利用希望者は、リンク情報に従って所望のプロトコル公開機関８のＷｅｂページを参照し、撮影プロトコルの配信予約を行う。配信予約及び配信の処理内容は、上述した実施形態と同じである。
【０１８７】
プロトコル利用希望者はプロトコル公開機関８にアクセスし、プロトコル公開機関８が公開しているＷｅｂページを参照して所望の撮影プロトコルを指定する。プロトコル公開機関８は、図１３（ｃ）に示すように、代表画像と撮影プロトコルの説明とが掲載されたＷｅｂページを公開し、プロトコル利用希望者はこのＷｅｂページを参照することで所望の撮影プロトコルを指定する。上述した実施形態と同様に、医療機器ベンダ２のＵＲＬと、撮影プロトコルの識別情報（ハッシュ値など）とがＷｅｂページに定義されているため、プロトコル利用希望者がマウスなどの入力装置を用いてＤＬボタンをクリックすると、プロトコル配信要求送信手段１０２は、上記ＵＲＬに従ってプロトコル配信要求と撮影プロトコルの識別情報とを医療機器ベンダ２のプロトコル配信要求受付サーバ４に送信する。
【０１８８】
その後、プロトコル情報参照端末１０の表示装置には、図１３（ｄ）に示す配信条件設定用の画面が表示される。この設定画面を参照し、入力装置で配信先の医用画像診断装置１１及び配信のタイミングを指定することができる。ここで指定された配信条件を示す情報は、プロトコル配信要求送信手段１０２によってプロトコル配信要求受付サーバ４に送信され、プロトコル配信要求受付手段４１によって受け付けられる。また、配信条件を予め作成して配信計画情報記憶手段２３に記憶させておいても良い。
【０１８９】
以上のように配信予約が完了すると、上述した配信処理と同様に設定された配信計画に従って、撮影プロトコルが医用画像診断装置１１に配信される。
【０１９０】
［第２の実施の形態］
次に、この発明の第２の実施形態に係る医用装置プロトコル提供システムの構成について、図１４及び図１５を参照して説明する。図１４は、この発明の第２の実施形態に係る医用装置プロトコル提供システムの構成を示すブロック図である。図１５は、この発明の第２の実施形態に係る医用装置プロトコル提供システムの機能を示す機能ブロック図である。
【０１９１】
第１の実施形態では、公開パッケージ作成手段３２をプロトコル配信機関（医療機器ベンダ）２内に設置したが、この第２の実施形態では、図１５に示すように、公開パッケージ作成手段３２をプロトコル公開医療機関６Ａ内に設置した。この場合、公開パッケージ作成手段３２を医用画像診断装置７Ａに設置しても良く、プロトコル公開医療機関６Ａ内のコンピュータ（ＰＣ）に設置しても良い。また、プロトコル公開医療機関６Ａにはプロトコル情報送信手段７７が設置されている、このプロトコル情報送信手段７７は、撮影プロトコルと、公開パッケージ作成手段３１によって作成された撮影プロトコルの識別情報（ハッシュ値）とをプロトコル配信機関（医療機器ベンダ）２Ａのプロトコル管理サーバ１２に送信する。
【０１９２】
また、図１４に示すように、プロトコル配信機関２Ａには、プロトコル公開パッケージ作成サーバ３の代わりに、プロトコル管理サーバ１２が設置されている。図１５に示すように、プロトコル管理サーバ１２には、プロトコル情報受付手段１２１とプロトコル情報登録手段１２２とが設置されている。プロトコル情報受付手段１２１は、プロトコル公開医療機関６Ａから送信された撮影プロトコルと撮影プロトコルの識別情報（ハッシュ値など）とを受け付ける。プロトコル情報登録手段１２２は、その撮影プロトコルと識別情報とをプロトコル情報記憶手段２１に記憶させる。このとき、撮影プロトコルに識別情報を付してプロトコル情報記憶手段２１に記憶させる。
【０１９３】
上記構成以外の、プロトコル配信要求受付サーバ４、プロトコル配信サーバ５、プロトコル公開機関８、及びプロトコル利用医療機関９の構成及び処理内容は、第１の実施形態に係る医用装置プロトコル提供システム１と同じである。
【０１９４】
プロトコル公開医療機関６Ａのプロトコル公開パッケージ作成手段３２によって公開パッケージが作成され、プロトコル情報送信手段７７によって撮影プロトコルと識別情報（ハッシュ値など）とが、プロトコル配信機関２Ａのプロトコル管理サーバ１２に送信される。
【０１９５】
プロトコル管理サーバ１２内のプロトコル情報受付手段１２１は、撮影プロトコルと識別情報とを受け付け、プロトコル情報登録手段１２２は撮影プロトコルに識別情報（ハッシュ値など）を付してプロトコル情報記憶手段２１に記憶させる。
【０１９６】
プロトコル公開医療機関６Ａのプロトコル公開希望者は、公開パッケージを利用して撮影プロトコル公開用のＷｅｂページを作成し、プロトコル公開機関８にそのＷｅｂページを登録する。プロトコル公開機関８は、そのＷｅｂページをインターネットなどの公開ネットワーク上に公開する。
【０１９７】
プロトコル利用医療機関９のプロトコル利用希望者は、プロトコル公開機関８が公開しているＷｅｂページを参照することで、配信を希望する撮影プロトコルを指定する。この指定により、プロトコル配信要求送信手段１０２は、Ｗｅｂページに定義されているＵＲＬに従って、プロトコル配信機関２Ａのプロトコル配信要求受付サーバ４に、撮影プロトコルの配信要求と撮影プロトコルの識別情報（ハッシュ値など）とを送信する。
【０１９８】
プロトコル配信要求受付サーバ４のプロトコル配信要求受付手段４１が、撮影プロトコルの配信要求と撮影プロトコルの識別情報とを受け付けると、配信先の医用画像診断装置１１や配信すべき撮影プロトコルを特定し、配信条件を決定して配信計画を作成する。これにより、撮影プロトコルの配信予約が完成する。
【０１９９】
プロトコル配信サーバ５は、その配信計画に従ってプロトコル情報記憶手段２１から撮影プロトコルを取得し、医用画像診断装置１１に送信する。これにより、撮影プロトコルの配信が完了する。
【０２００】
以上のように、プロトコル公開医療機関６Ａで公開パッケージを作成しても、プロトコル公開希望者は、撮影プロトコルを公開するための情報を容易に取得することが可能となる。
【０２０１】
また、プロトコル利用医療機関９のプロトコル利用希望者は、第１の実施形態と同様に、インターネットなどの一般に公開されたＷｅｂページを参照して、配信を希望する撮影プロトコルの配信をプロトコル配信機関２Ａに要求することが可能となるため、簡便な方法により撮影プロトコルの配信予約及び取得が可能となる。
【０２０２】
また、第１の実施形態の変形例のように、プロトコル配信機関２Ａが公開するＷｅｂページに、プロトコル公開機関８のリンク情報を掲載して、プロトコル配信機関２ＡのＷｅｂページをポータルサイトとして機能させても良い。
【図面の簡単な説明】
【０２０３】
【図１】この発明の第１の実施形態に係る医用装置プロトコル提供システムの構成を示すブロック図である。
【図２】この発明の第１の実施形態に係る医用装置プロトコル提供システムの処理の流れを示すシーケンス図である。
【図３】この発明の第１の実施形態に係る医用装置プロトコル提供システムの機能を示す機能ブロック図である。
【図４】この発明の第１の実施形態に係る医用装置プロトコル提供システムによる公開パッケージ作成処理の流れを示すフローチャートである。
【図５】公開パッケージ作成に際して表示装置に表示される画面を示す図である。
【図６】プロトコル配信要求送信手段の具体的な構成を示すブロック図である。
【図７】この発明の第１の実施形態に係る医用装置プロトコル提供システムによる撮影プロトコル配信要求の受付処理の流れを示すフローチャートである。
【図８】この発明の第１の実施形態に係る医用装置プロトコル提供システムによる撮影プロトコルの特定処理の流れを示すフローチャートである。
【図９】撮影プロトコル配信要求の受付に際して表示装置に表示される画面を示す図である。
【図１０】この発明の第１の実施形態に係る医用機器プロトコル提供システムにおける撮影プロトコルの配信に関連する機能を示す機能ブロック図である。
【図１１】この発明の第１の実施形態に係る医用装置プロトコル提供システムによる撮影プロトコルの配信処理の流れを示すフローチャートである。
【図１２】撮影プロトコル配信の際に表示装置に表示される画面を示す図である。
【図１３】撮影プロトコル配信要求の受付に際して表示装置に表示される画面を示す図である。
【図１４】この発明の第２の実施形態に係る医用装置プロトコル提供システムの構成を示すブロック図である。
【図１５】この発明の第２の実施形態に係る医用装置プロトコル提供システムの機能を示す機能ブロック図である。
【符号の説明】
【０２０４】
１  医用装置プロトコル提供システム
２  プロトコル配信機関（医療機器ベンダ）
３  プロトコル公開パッケージ作成サーバ
４  プロトコル配信要求受付サーバ
５  プロトコル配信サーバ
６  プロトコル公開医療機関
７、１１  医用画像診断装置
８  プロトコル公開機関
９  プロトコル利用医療機関
１０  プロトコル情報参照用端末
【図１】
2007082888.tif 000003
【図２】
2007082888.tif 000004
【図３】
2007082888.tif 000005
【図４】
2007082888.tif 000006
【図５】
2007082888.tif 000007
【図６】
2007082888.tif 000008
【図７】
2007082888.tif 000009
【図８】
2007082888.tif 000010
【図９】
2007082888.tif 000011
【図１０】
2007082888.tif 000012
【図１１】
2007082888.tif 000013
【図１２】
2007082888.tif 000014
【図１３】
2007082888.tif 000015
【図１４】
2007082888.tif 000016
【図１５】
2007082888.tif 000017